(57)【特許請求の範囲】
【請求項１】
液体を収容する容器と、前記容器から前記液体を供給する液体供給口と、前記容器内の前記液体の消費状態を検出する圧電装置と、前記容器内において前記圧電装置の付近に配備される多孔質部材と、を備え、
前記多孔質部材に作用する毛細管力は、前記液体を保持できる程度の毛細管力より小さいことを特徴とする液体容器。
【請求項２】
前記圧電装置と前記多孔質部材との間に間隙があることを特徴とする請求項１に記載の液体容器。
【請求項３】
前記圧電装置および前記多孔質部材は、前記容器のうち、前記液体供給口のある供給口面に配備されることを特徴とする請求項１に記載の液体容器。
【請求項４】
前記圧電装置は振動部を有し、前記振動部に残留する残留振動によって発生する逆起電力に基づいて、前記液体の消費状態を検出することを特徴とする請求項１から請求項３までのいずれか１項に記載の液体容器。
【請求項５】
前記圧電装置は少なくとも液体の音響インピーダンスを検出し、この音響インピーダンスに基づいて液体の消費状態を検出することを特徴とする請求項１から請求項３のいずれかに記載の液体容器。
【請求項６】
前記圧電装置は、前記圧電装置を前記容器に取り付けるための取付構造体に含まれ、
前記圧電装置は、前記取付構造体として前記容器に取り付けられることを特徴とする請求項１から請求項５のいずれかに記載の液体容器。
【請求項７】
インク滴を吐出する印字ヘッドを有するインクジェット記録装置に装着され、前記印字ヘッドへ液体を供給することを特徴とする請求項１から請求項６のいずれかに記載の液体容器。
【発明の詳細な説明】
【０００１】
【発明の属する技術分野】
本発明は、液体容器内の液体の消費状態を検出する圧電装置を有する液体容器に関し、より詳しくは、インクジェット記録装置において、記録ヘッドへ液体を供給する液体容器内の液体の消費状態を検知する圧電装置を有する液体容器に関する。
【０００２】
【従来の技術】
インクジェット記録装置は、圧力発生室を加圧する圧力発生手段と、加圧されたインクをノズル開口からインク滴として吐出するノズル開口とを備えたインクジェット記録ヘッドをキャリッジに搭載する。インクジェット記録装置は、インクタンクのインクを、流路を介して記録ヘッドに供給しながら印刷を継続可能に構成されている。インクタンクは、インクが消費された時点で、ユーザが簡単に交換できるように着脱可能なカートリッジとして構成されている。
【０００３】
従来、インクカートリッジのインク消費の管理方法として、記録ヘッドでのインク滴の吐出数やメンテナンスにより吸引されたインク量をソフトウエアにより積算してインク消費を計算により管理する方法と、インクカートリッジに液面検出用の電極を取付けることにより、実際にインクが所定量消費された時点を管理する方法などがある。
【０００４】
【発明が解決しようとする課題】
しかしながら、ソフトウェアによりインク滴の吐出数やインク量を積算してインク消費を計算上で管理する方法は、ユーザサイドでの印刷形態等により誤差が生じたり、また同一カートリッジの再装着時には大きな誤差が生じるという問題がある。また、使用環境により、例えば室温が極端な高低、あるいはインクカートリッジの開封後の経過時間などによってインクカートリッジ内の圧力やインクの粘度が変化して、計算上のインク消費量と実際の消費量との間に無視できない誤差が生じてしまうという問題もあった。
【０００５】
一方、電極によりインクが消費された時点を管理する方法は、インクの液面を実際に検出することができるため、インクの有無を高い信頼性で管理できる（特開平8-34123号公報参照）。しかしながら、インクの液面の検出をインクの導電性に頼るので、検出可能なインクの種類が限定されたり、また電極のシール構造が複雑化する問題がある。また、電極の材料として通常は導電性が良く耐腐食性も高い貴金属を使用するので、インクカートリッジの製造コストがかさむという問題もある。さらに、２本の電極を装着する必要があるため、製造工程が多くなり結果として製造コストがかさんでしまうという問題もある。
【０００６】
また、インクの消費量を直接に検出する装置では、カートリッジ内のインクを検出する部分にキャビティを有する場合がある。この検出装置を搭載したインクジェット記録装置の記録ヘッドと共に走査する場合、インクカートリッジ内のインクが波うち、気泡が発生する場合がある。気泡はインクの有無を検出するのに誤動作の原因になる問題がある。
【０００７】
そこで本発明は、液体残量を正確に検出でき、かつ複雑なシール構造を不要とした液体容器を提供することを目的とする。
【０００８】
また、液体容器の製造工程が少なく、かつ製造コストが低廉であり、かつ液体の種類に依らず液体容器内の液体の消費量を正確に検出することができる液体容器を提供することを目的とする。
【０００９】
また、液体容器内の液体により気泡が生じることを防止するとともに、気泡が生じたとしても液体の消費量を直接に検出する装置に気泡が付着しない液体容器を提供することを目的とする。
【００１０】
さらに、液体容器内の液体が消費された後、キャビティ内に液体が残存しないようにすることによって、またはキャビティ内に液体が残存する量を減少させることによって、液体容器内の液体の量を誤って検出することを防止することを目的とする。
【００１１】
そこで本発明は、上記の課題を解決することのできる液体容器を提供することを目的とする。この目的は特許請求の範囲における独立項に記載の特徴の組み合わせにより達成される。また従属項は本発明の更なる有利な具体例を規定する。
【００１２】
即ち、本発明の第１の形態として、液体を収容する容器と、前記容器から前記液体を供給する液体供給口と、前記容器内の前記液体の消費状態を検出する圧電装置と、前記容器内において前記圧電装置の付近に配備される多孔質部材と、を備え、
前記多孔質部材に作用する毛細管力は、前記液体を保持できる程度の毛細管力より小さいことを特徴とする液体容器が提供される。ここで、圧電装置と多孔質部材との間に間隙があってもよい。
【００１６】
圧電装置および多孔質部材は、容器のうち、液体供給口のある供給口面に配備されてもよい。
【００１７】
好適には、圧電装置は、振動を生ずる振動部を有し、振動の発生後、振動部に残留する残留振動によって、逆起電力を発生し、その逆起電力に基づいて液体の消費状態を検出する。
【００１８】
当該液体容器に取り付けられる圧電装置は、圧電装置を容器に取り付けるための取付モジュール体として構成されてもよい。かかる場合は、圧電装置は、取付モジュール体として容器に取り付けられる。
【００１９】
当該液体容器は、インク滴を吐出する印字ヘッドを有するインクジェット記録装置に装着され、印字ヘッドへ液体を供給してもよい。
【００２０】
なお上記の発明の概要は、本発明の必要な特徴の全てを列挙したものではなく、これらの特徴群のサブコンビネーションも又発明となりうる。
【００２１】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００２２】
本発明の基本的概念は、振動現象を利用することで、液体容器内の液体の状態（液体容器内の液体の有無、液体の量、液体の水位、液体の種類、液体の組成を含む）を検出することである。具体的な振動現象を利用した液体容器内の液体の状態の検出としてはいくつかの方法が考えられる。例えば弾性波発生手段が液体容器の内部に対して弾性波を発生し、液面あるいは対向する壁によって反射する反射波を受波することで、液体容器内の媒体およびその状態の変化を検出する方法がある。また、これとは別に、振動する物体の振動特性から音響インピーダンスの変化を検知する方法もある。音響インピーダンスの変化を利用する方法としては、圧電素子を有する圧電装置またはアクチュエータの振動部を振動させ、その後に振動部に残留する残留振動によって生ずる逆起電力を測定することによって、共振周波数または逆起電力波形の振幅を検出することで音響インピーダンスの変化を検知する方法や、測定機、例えば伝送回路等のインピーダンスアナライザによって液体のインピーダンス特性またはアドミッタンス特性を測定し、電流値や電圧値の変化または、振動を液体に与えたときの電流値や電圧値の周波数による変化を測定する方法がある。弾性波発生手段および圧電装置またはアクチュエータの動作原理の詳細については後述する。
【００２３】
図１は、本発明が適用される単色、例えばブラックインク用のインクカートリッジの一実施形態の断面図である。図１のインクカートリッジは、上記に説明した方法のうちの、弾性波の反射波を受信して液体容器内の液面の位置や液体の有無を検出する方法に基づいている。弾性波を発生しまた受信する手段として弾性波発生手段３を用いる。インクを収容する容器１には、記録装置のインク供給針に接合するインク供給口２が設けられている。容器１の底面１ａの外側には、弾性波発生手段３が容器を介して内部のインクに弾性波を伝達できるように取付けられている。インクＫがほぼ消費されつくした段階、つまりインクニアエンドとなった時点で、弾性波の伝達がインクから気体へと変更するべく、弾性波発生手段３はインク供給口２よりも若干上方の位置に設けられている。なお、受信手段を別に設けて、弾性波発生手段３を単に発生手段として用いても良い。
【００２４】
インク供給口２にはパッキン４及び弁体６が設けられている。図３に示すように、パッキン４は記録ヘッド３１に連通するインク供給針３２と液密に係合する。弁体６は、バネ５によってパッキン４に対して常時弾接されている。インク供給針３２が挿入されると、弁体６はインク供給針３２に押されてインク流路を開放し、容器１内のインクがインク供給口２およびインク供給針３２を介して記録ヘッド３１へ供給される。容器１の上壁の上には、インクカートリッジ内のインクに関する情報を格納した半導体記憶手段７が装着されている。
【００２５】
また、容器１の内部には、多孔質部材１０５０が設けられている。多孔質部材１０５０と弾性波発生手段３との間には、インク層１０６０ができるように間隙が設けられる。容器１の内部に多孔質部材１０５０を設けることによって、記録ヘッドの走査と共にインクカートリッジが移動する場合に、容器１内のインクの波打ちや泡立ちを防止できる。よって、インクの泡やインクの波が弾性波発生手段３の周辺に生じにくいので、弾性波発生手段３が誤ってインクの有無を検出することを防止することができる。
【００２６】
また、容器１内のインクが消費され、インクの液面がインク層１０６０に達するときに、多孔質部材１０５０がインク層１０６０に存在するインクまでをも吸引することのないように、多孔質部材１０５０の孔径を設定する。即ち、多孔質部材１０５０に作用する毛細管力が、容器１内のインクを保持できる程度の毛細管力より小さくなるように設計する。それによって、容器１内のインクがインクニアエンドのときには、インクの自重によって多孔質部材１０５０にはインクがほとんど残存せず、インク層１０６０に残存するようにする。
【００２７】
容器１には、インクの液面の上方に容器１の外部に通ずる通気孔（図示せず）がある。通気孔によって容器１内に空気が導入され、インクの消費に伴い、インクが自重によってインクの液面の下方向へ下降する。それによって、残存するインクはインク層１０６０に溜まる。
【００２８】
容器１内に多孔質部材１０５０が設けられているため、インクカートリッジが記録ヘッドとともに走査する場合においても、インクが波立たない。従って、容器１内のインクの液面が多孔質部材１０５０の下端に到達し、インクの液面がインク層１０６０の間に存在する場合には、弾性波発生手段３はインクの液面を正確に検出できる。
【００２９】
また、多孔質部材１０５０と弾性波発生手段３との間隙の幅は限定しない。インクの泡立ちをできるだけ抑制するためには、多孔質部材１０５０を容器１の下方に設けることによって、インク層１０６０の幅を小さくすることが好ましい。
【００３０】
また、多孔質部材１０５０は、弾性波発生手段３の付近に配置されることが好ましい。これにより、インクの泡が生じたとしても、インクの泡は多孔質部材１０５０に吸収されるため、弾性波発生手段３の周辺に留まらない。それによって、弾性波発生手段３が誤ってインクの有無を検出することを防止することができる。
【００３１】
図２は、複数種類のインクを収容するインクカートリッジの一実施例を示す裏側から見た斜視図である。容器８は、隔壁により３つのインク室９、１０及び１１に分割される。それぞれのインク室には、インク供給口１２、１３及び１４が形成されている。それぞれのインク室９、１０及び１１の底面８ａには、弾性波発生手段１５、１６および１７が、容器８を介して各インク室内に収容されているインクに弾性波を伝達できるように取付けられている。本実施例においても、インク室９、１０及び１１のそれぞれに多孔質部材（図示せず）が配備される。
【００３２】
図３は、図１及び２に示したインクカートリッジに適したインクジェット記録装置の要部の実施形態を示す断面図である。記録用紙の幅方向に往復動可能なキャリッジ３０は、サブタンクユニット３３を備えていて、記録ヘッド３１がサブタンクユニット３３の下面に設けられている。また、インク供給針３２はサブタンクユニット３３のインクカートリッジ搭載面側に設けられている。
【００３３】
記録装置の動作期間中には、あらかじめ設定された検出のタイミング、例えば一定周期で弾性波発生手段３に駆動信号が供給される。弾性波発生手段３により発生された弾性波は、容器１の底面１ａを伝搬してインクに伝達され、インクを伝搬する。
【００３４】
弾性波発生手段３を容器１に貼着することにより、容器１の成形時における液面検出用の電極の埋め込みが不要となるので、射出成形工程が簡素化され、電極埋めこみ領域からの液漏れがなくなり、インクカートリッジの信頼性が向上できる。
【００３５】
また、容器１の内部に多孔質部材１０５０を設ける。多孔質部材１０５０を設けることによって、記録ヘッドの走査と共にインクカートリッジが移動する場合に、容器１内のインクが波打ちや泡立ちを防止できる。よって、インクの泡やインクの波が弾性波発生手段３の周辺に生じにくいので、弾性波発生手段３が誤ってインクの有無を検出することを防止することができる。
【００３６】
図４は、サブタンクユニット３３の詳細を示す断面図である。サブタンクユニット３３は、インク供給針３２、インク室３４、膜弁３６、及びフィルタ３７を有する。インク室３４内には、インクカートリッジからインク供給針３２を介して供給されるインクが収容される。膜弁３６は、インク室３４とインク供給路３５との間の圧力差により開閉するよう設計されている。インク供給路３５は記録ヘッド３１に連通しており、インクが記録ヘッド３１まで供給される構造となっている。
【００３７】
図３に示すように、容器１のインク供給口２をサブタンクユニット３３のインク供給針３２に挿通すると、弁体６がバネ５に抗して後退し、インク流路が形成され、容器１内のインクがインク室３４に流れ込む。インク室３４にインクが充填された段階で、記録ヘッド３１のノズル開口に負圧を作用させて記録ヘッド３１にインクを充填した後、記録動作を実行する。
【００３８】
記録動作により記録ヘッド３１においてインクが消費されると、膜弁３６の下流側の圧力が低下するので、図４に示すように、膜弁３６が弁体３８から離れて開弁する。膜弁３６が開くことにより、インク収容室３４のインクはインク供給路３５を介して記録ヘッド３１に流れこむ。記録ヘッド３１へのインクの流入に伴なって、容器１のインクは、インク供給針３２を介してサブタンクユニット３３に流れ込む。
【００３９】
図３および図４の実施例によれば、サブタンクユニット３３内にも弾性波発生手段３および多孔質部材１０５０を配備している。多孔質部材１０５０は、弾性波発生手段３の付近に配備される。弾性波発生手段３および多孔質部材１０５０の間にはインク層１０６０ができるように間隙が設けられている。
【００４０】
弾性波発生手段３は、サブタンクユニット３３内のインクの量またはインクの有無を検出する。本実施例の場合、サブタンクユニット３３内に多孔質部材１０５０が設けられているため、インク層１０６０の幅が小さくなると弾性波発生手段３はインク量をインクエンドの付近でしか検出できない。しかし、サブタンクユニット３３内に多孔質部材１０５０が設けられていることによって、インクが波立たない。従って、サブタンクユニット３３内のインクの液面が多孔質部材１０５０の下端に到達し、インクの液面がインク層１０６０の間に存在する場合には、弾性波発生手段３はインクの液面を正確に検出できる。また、弾性波発生手段３がサブタンクユニット３３内のインクの量やインクの有無を誤って検出することがない。
【００４１】
また、弾性波発生手段３がサブタンクユニット３３内に配備されているので、インクカートリッジ内のインクがなくなった場合であっても、弾性波発生手段３はサブタンクユニット３３内のインクの量やインクの有無を検出することができる。それによって、さらに印字を続行するか否かの判断をすることができる。
【００４２】
図３に示す実施例では、インクカートリッジの容器１内に弾性波発生手段３および多孔質部材１０５０を配備している。また、図３および図４に示すように、サブタンクユニット３３内にも弾性波発生手段３および多孔質部材１０５０を配備している。従って、図３のインクカートリッジおよび図４のサブタンクユニット３３の両者に弾性波発生手段３および多孔質部材１０５０を配備している。しかし、図３のインクカートリッジおよび図４のサブタンクユニット３３の一方だけに弾性波発生手段３および多孔質部材１０５０を配備してもよい。
【００４３】
図５に示した実施形態によれば、容器１内のインクが消費されてインク吸収体７４及び７５がインクから露出すると、多孔質部材からなるインク吸収体７４及び７５のインクが自重により流れ出して記録ヘッド３１にインクを供給する。インクが消費され尽くすと、インク吸収体７４及び７５は、貫通孔１ｃに残存しているインクを吸い上げるので、貫通孔１ｃの凹部からインクが排出される。そのため、インクエンド時において弾性波発生手段７０が発生した弾性波の反射波の状態が変化するので、インクエンドを更に確実に検出することができる。尚、インク吸収体７４及び７５に作用する毛細管力が容器１内のインクを保持できる程度の毛細管力と等しいか、またはより大きくなるように設計する。それによって、多孔質部材からなるインク吸収体７４及び７５は、貫通孔１ｃに残存しているインクを吸収する。
【００４４】
図６は、弾性波発生手段３、１５、１６、及び１７の製造方法を示す。固定基板２０は、焼成可能なセラミック等の材料により形成される。まず、図６（Ｉ）に示すように、固定基板２０の表面に一方の電極となる導電材料層２１を形成する。次に、図６（II）に示すように、導電材料層２１の表面に圧電材料のグリーンシート２２を重ねる。次に、図６（III）に示すように、プレス等により所定の形状にグリーンシート２２を振動子の形状に成形し、自然乾燥後させた後、焼成温度、例えば１２００°Ｃで焼成する。次に、図６（IV）に示すように、他方の電極となる導電材料層２３をグリーンシート２２の表面に形成して、たわみ振動可能に分極する。最後に、図６（Ｖ）に示すように、固定基板２０を各素子毎に切断する。固定基板２０を接着剤等により容器１の所定の面に固定することで、弾性波発生手段３が、容器１の所定の面に固定されて、残量検出機能付きインクカートッジが完成する。
【００４５】
図７は、図６に示した弾性波発生手段３の他の実施形態を示す。図６の実施例においては、導電材料層２１を接続電極として使用している。一方、図７の実施例においては、グリーンシート２２により構成された圧電材料層の表面よりも上方の位置に、半田等により接続端子２１ａ及び２３ａを形成する。接続端子２１ａ及び２３ａにより、弾性波発生手段３の回路基板への直接的な実装が可能となり、リード線の引き回しが不要となる。
【００４６】
ところで、弾性波は、気体、液体および固体を媒体として伝播することができる波の一種である。従って、媒体の変化により弾性波の波長、振幅、位相、振動数、伝播方向や伝播速度などが変化する。一方、弾性波の反射波も媒体の変化によってその波の状態や特性が異なる。従って、弾性波が伝播する媒体の変化によって変化する反射波を利用することで、その媒体の状態を知ることが可能となる。この方法によって液体容器内の液体の状態を検出する場合には、例えば弾性波送受信機を使用する。図１〜図３の形態を例にとって説明すると送受信機は、はじめに媒体、例えば、液体または液体容器に弾性波を与え、その弾性波は媒体中を伝播し液体の表面に達する。液体の表面では液体と気体との境界を有するため、反射波を送受信機へ返す。送受信機は反射波を受信し、その反射波の往来時間や送信機が発生した弾性波と液体の表面が反射した反射波との振幅の減衰率などから、送信機または受信機と液体の表面との距離を測定することができる。これを利用して液体容器内の液体の状態を検出できる。弾性波発生手段３は、単体として弾性波が伝播する媒体の変化による反射波を利用する方法における送受信機として使用してもよいし、別に専用の受信機を装着してもよい。
【００４７】
上記したように、弾性波発生手段３によって発生されインク液中を伝搬する弾性波は、インク液の密度や液面レベルによりインク液表面で生じる反射波の弾性波発生手段３への到来時間が変化する。したがって、インクの組成が一定である場合には、インク液表面で生じる反射波の到来時間がインクの量に左右される。したがって、弾性波発生手段３が弾性波を発生してからインク表面からの反射波が弾性波発生手段３に到達するまでの時間を検出することにより、インク量を検出することができる。また、弾性波は、インクに含まれている粒子を振動させるので、着色剤として顔料を使用した顔料系のインクの場合には、顔料等の沈殿を防止するのに寄与する。
【００４８】
弾性波発生手段３を容器１に設けることにより、印刷動作やメンテナンス動作によってインクカートリッジのインクがインクエンド近くまで減少して、弾性波発生手段３によって反射波が受信できなくなった場合には、インクニアエンドであると判定してインクカートリッジの交換を促すことができる。
【００４９】
図８は、本発明のインクカートリッジの他の実施例を示す。上下方向に間隔を設けて、複数の弾性波発生手段４1〜４４が、容器１の側壁上に設けられている。図８のインクカートリッジは、弾性波発生手段４1〜４4のそれぞれの位置にインクが存在するか否かにより、それぞれの弾性波発生手段４1〜４４の装着位置のレベルにおけるインクの有無が検出できる。例えば、インクの水位が、弾性波発生手段４４と４３との間のレベルであるとき、弾性波発生手段４４は、インクが無いと検出し、弾性波発生手段４１、４２及び４３は、インクが有ると検出するので、インクの水位が、弾性波発生手段４４と４３との間のレベルであることが分かる。したがって、複数の弾性波発生手段４１〜４４を設けることにより、インク残量を段階的に検出することができる。
【００５０】
図９及び図１０は、それぞれ本発明のインクカートリッジの更に他の実施例を示す。図９に示した実施例においては、上下方向に斜めに形成された底面１ａに、弾性波発生手段６５が装着される。また、図１０に示した実施例においては、垂直方向に長く延びる弾性波発生手段６６が、側壁１ｂの底面近傍に設けられている。
【００５１】
図９及び図１０の実施例によれば、インクが消費され、弾性波発生手段６５及び６６の一部が液面から露出するようになると、弾性波発生手段６５及び６６が発生した弾性波の反射波の到来時間及び音響インピーダンスが、液面の変化Δｈ１、Δｈ２に対応して連続的に変化する。したがって、弾性波の反射波の到来時間又は音響インピーダンスの変化の度合いを検出することにより、インク残量のインクニアエンド状態からインクエンドまでの過程を正確に検出することができる。
【００５２】
さらに、容器１内には、多孔質部材１０５０が配備されている。多孔質部材１０５０は、容器１内のインクの波打ちや泡立ちを防止する。それによって、弾性波発生手段６５及び６６が誤ってインクの有無を検出することを防止する。
【００５３】
図９の実施例においては、多孔質部材１０５０は、インクの液面の下方にある下面１０５５が弾性波発生手段６５の傾斜と平行になるように配備されている。下面１０５５と弾性波発生手段６５との間には間隙がある。下面１０５５と弾性波発生手段６５との間の間隙には、インク層１０６０が存在する。従って、図１の実施例と同様に、容器１内のインクの液面が多孔質部材１０５０の下端に到達し、インクの液面がインク層１０６０の間に存在する場合には、弾性波発生手段３はインクの液面を正確に検出できる。
【００５４】
図１０の実施例においては、多孔質部材（図示せず）の一側面は側壁１ｂに配備される弾性波発生手段６６と平行になるように配備されている。多孔質部材の一側面と側壁１ｂとの間には間隙がある。本実施例の場合、容器１内にインクが満たされ、多孔質部材の一側面と側壁１ｂとの間隙にインクが満たされている場合には、弾性波発生手段６６から発生した弾性波に対する反射波は変化しない。一方で、容器１内のインクが消費され、多孔質部材の一側面と側壁１ｂとの間隙に空隙が生じるに伴い弾性波発生手段６６から発生した弾性波に対する反射波は徐々に変化する。従って、弾性波発生手段６６は、インクの液面が弾性波発生手段６６の長さΔｈ２の範囲内にあるときのインクの消費状態を検出することができる。尚、弾性波発生手段６６の長さは限定しない。
【００５５】
さらに、上述の実施例においてはたわみ振動型の圧電振動子を使用することによりカートリッジの大型化を抑えているが、縦振動型の圧電振動子を使用することも可能である。更に、上述の実施例においては、同一の弾性波発生手段により弾性波を送波し受波する。他の実施形態として、送波用と受波用とで異なった弾性波発生手段を用いて、インク残量を検出してもよい。
【００５６】
図１１は、本発明のインクカートリッジの更に他の実施例を示す。上下方向に斜めに形成された底面１ａに、上下方向に間隔を設けて、複数の弾性波発生手段６５ａ、６５ｂ及び６５ｃが、容器１に設けられている。容器１の内部には、多孔質部材１０５０が設けられている。多孔質部材１０５０と弾性波発生手段６５ａ、６５ｂ及び６５ｃとの間には、インク層１０６０ができるように間隙が設けられる。容器１の内部に多孔質部材１０５０を設けることによって、記録ヘッドの走査と共にインクカートリッジが移動する場合に、容器１内のインクの波打ちや泡立を防止できる。よって、インクの泡が弾性波発生手段６５ａ、６５ｂ及び６５ｃの周辺に生じにくい。また、インクの泡が生じたとしても、インクの泡は多孔質部材１０５０に吸収されるため、弾性波発生手段６５ａ、６５ｂ及び６５ｃの周辺に留まらない。それによって、弾性波発生手段６５ａ、６５ｂ及び６５ｃが誤ってインクの有無を検出することを防止することができる。
【００５７】
インク層１０６０の幅は図９の実施例と同様に限定しない。
【００５８】
本実施例によれば、複数の弾性波発生手段６５ａ、６５ｂ、及び６５ｃのそれぞれの位置にインクが存在するか否かにより、それぞれの弾性波発生手段６５ａ、６５ｂ、及び６５ｃの装着位置のレベルにおける、それぞれの弾性波発生手段６５ａ、６５ｂ及び６５ｃへの弾性波の反射波の到来時間が異なる。したがって、各弾性波発生手段６５を走査して、弾性波発生手段６５ａ、６５ｂ及び６５ｃにおける弾性波の反射波の到来時間を検出することにより、それぞれの弾性波発生手段６５ａ、６５ｂ及び６５ｃの装着位置のレベルにおけるインクの有無を検出することができる。したがって、インク残量を段階的に検出することができる。例えば、インク液面が弾性波発生手段６５ｂと弾性波発生手段６５ｃとの間のレベルであるとき、弾性波発生手段６５ｃはインク無しを検出し、一方弾性波発生手段６５ｂ及び６５ａはインク有りと検出する。これらの結果を総合評価することで、インク液面が弾性波発生手段６５ｂと弾性波発生手段６５ｃとの間に位置していることが分かる。
【００５９】
図１２は、本発明のインクジェット記録装置の実施形態の断面を示す。図１２（Ａ）は、インクジェット記録装置のみの断面を示す。図１２（Ｂ）は、インクジェット記録装置にインクカートリッジ２７２が装着されたときの断面を示す。インクジェット記録用紙の幅方向に往復動可能なキャリッジ２５０は、下面に記録ヘッド２５２を有する。キャリッジ２５０は、記録ヘッド２５２の上面にサブタンクユニット２５６を有する。サブタンクユニット２５６は、図４に示したサブタンクユニット３３と同様の構成を有する。サブタンクユニット２５６は、インクカートリッジ２７２の搭載面側にインク供給針２５４を有する。キャリッジ２５０は、インクカートリッジ２７２を搭載する領域に、インクカートリッジ２７２の底部に対向するように凸部２５８を有する。凸部２５８は、圧電振動子などの弾性波発生手段２６０を有する。
【００６０】
図１３は、図１２に示した記録装置に適したインクカートリッジの実施形態を示す。図１３（Ａ）は、単色、例えばブラックインク用のインクカートリッジの実施形態を示す。本実施形態のインクカートリッジ２７２は、インクを収容する容器２７４と、記録装置のインク供給針２５４に接合するインク供給口２７６とを有する。容器２７４は、底面２７４ａに、凸部２５８と係合する凹部２７８を有する。凹部２７８は、超音波伝達材、例えばゲル化材２８０を収容する。
【００６１】
インク供給口２７６は、パッキン２８２、弁体２８６、及びバネ２８４を有する。パッキン２８２は、インク供給針２５４と液密に係合する。弁体２８６は、バネ２８４によりパッキン２８２に常時弾接される。インク供給針２５４が、インク供給口２７６に挿入されると、弁体２８６がインク供給針２５４に押されてインク流路を開放する。容器２７４の上部には、インクカートリッジ２７２のインク等に関する情報を格納した半導体記憶手段２８８が装着されている。
【００６２】
容器２７４の内部には、多孔質部材１０５０が設けられている。多孔質部材１０５０とゲル化材２８０との間には、インク層１０６０ができるように間隙が設けられる。容器２７４の内部に多孔質部材１０５０を設けることによって、容器２７４内のインクの波打ちや泡立ちを防止できる。よって、図１と同様に、弾性波発生手段２６０が誤ってインクの有無を検出することを防止することができる。
【００６３】
本実施例の場合も図１と同様に容器１内のインクの液面が多孔質部材１０５０の下端に到達し、インクの液面がインク層１０６０の間に存在する場合には、弾性波発生手段３はインクの液面を正確に検出できる。容器２７４内のインクの液面が多孔質部材１０５０の下端に到達し、インクの液面がインク層１０６０の間に存在する場合には、弾性波発生手段３はインクの液面を検出できる。多孔質部材１０５０と弾性波発生手段３との間隙の幅は限定しない。しかし、多孔質部材１０５０は弾性波発生手段３の付近に配備されることが好ましい。
【００６４】
図１３（Ｂ）は、複数種のインクを収容するインクカートリッジの実施形態を示す。容器２９０は、壁により複数の領域、すなわち、３つのインク室２９２、２９４、２９６に分割される。それぞれのインク室２９２、２９４、及び２９６は、インク供給口２９８、３００及び３０２を有する。容器２９０の底面２９０ａの各インク室２９２、２９４、２９６に対向する領域には、弾性波発生手段２６０が発生した弾性波を伝達するためのゲル化材３０４、３０６、３０８が、筒状の凹部３１０、３１２、３１４に収容されている。本実施例においても、インク室２９２、２９４及び２９６のそれぞれに多孔質部材（図示せず）が配備される。
【００６５】
図１２（Ｂ）に示すように、インクカートリッジ２７２のインク供給口２７６をサブタンクユニット２５６のインク供給針２５４に挿通すると、弁体２８６がバネ２８４に抗して後退してインク流路が形成されるので、インクカートリッジ２７２内のインクがインク室２６２に流れ込む。インク室２６２にインクが充填された段階で、記録ヘッド２５２のノズル開口に負圧を作用させて記録ヘッド２５２にインクを充填した後、記録動作を実行する。記録動作により記録ヘッド２５２でインクが消費されると、膜弁２６６の下流側の圧力が低下するので、膜弁２６６が弁体２７０から離れて開弁する。膜弁２６６の開弁によりインク室２６２のインクが記録ヘッド２５２に流れこむ。記録ヘッド２５２へのインクの流入に随伴してインクカートリッジ２７２のインクが、サブタンクユニット２５６に流れ込む。
【００６６】
記録装置の動作期間中には、あらかじめ設定された検出のタイミング、例えば一定周期で弾性波発生手段２６０に駆動信号が供給される。弾性波発生手段２６０により発生された弾性波は、凸部２５８から放射され、インクカートリッジ２７２の底面２７４ａのゲル化材２８０を伝搬してインクカートリッジ２７２内のインクに伝達される。図１２ではキャリッジ２５０に弾性波発生手段２６０を設けたが、弾性波発生手段２６０をサブタンクユニット２５６内に設けてもよい。
【００６７】
弾性波発生手段２６０が発生した弾性波はインク液中を伝搬するので、インク液の密度やインクの液面レベルによって、液面で反射された反射波が弾性波発生手段２６０へ到来する時間が変化する。したがって、インクの組成が一定である場合には液表面で生じる反射波の到来時間がインク量にだけ左右される。したがって、弾性波発生手段２６０の励起後のインク液表面からの反射波が弾性波発生手段２６０に到達するまでの時間を検出することにより、インクカートリッジ２７２内のインク量を検出することができる。また、弾性波発生手段２６０が発生する弾性波は、インクに含まれている粒子を振動させるので、顔料等の沈殿を防止する。
【００６８】
印刷動作やメンテナンス動作によりインクカートリッジ２７２内のインクがインクエンド近くまで減少して、弾性波発生手段２６０による弾性波発生後のインク液表面からの反射波が受信できなくなった場合には、インクニアエンドであると判定してインクカートリッジ２７２の交換を促すことができる。なお、インクカートリッジ２７２が規定通りにキャリッジ２５０に装着されていない場合には、弾性波発生手段２６０による弾性波の伝搬形態が極端に変化する。これを利用し、弾性波の極端な変化を検知した場合には警報を発して、ユーザにインクカートリッジ２７２の点検を促すこともできる。
【００６９】
弾性波発生手段２６０が発生した弾性波の反射波の弾性波発生手段２６０への到来時間は、容器２７４に収容されているインクの密度により影響を受ける。インクの種類により、インクの密度がそれぞれ異なる場合があるので、インクカートリッ２７２内に収容されているインクの種類に関するデータを半導体記憶手段２８８に格納し、それに応じた検出シーケンスを実行することによってインク残量をより正確に検出することができる。
【００７０】
図１４は、本発明のインクカートリッジ２７２の他の実施形態を示す。図１４に示したインクカートリッジ２７２は、底面２７４ａが上下方向に斜めに形成されている。図１４のインクカートリッジ２７２は、インク残量が少なくなり、弾性波発生手段２６０の弾性波の照射領域の一部がインク液面から露出すると、弾性波発生手段２６０が発生した弾性波の反射波の弾性波発生手段２６０への到来時間が、インク液面の変化Δｈ１に対応して連続的に変化する。Δｈ１は、ゲル化材２８０の両端における底面２７４ａの高さの差を示す。したがって、反射波の弾性波発生手段２６０への到来時間を検出することにより、インクニアエンド状態からインクエンドまでの過程を正確に検出することができる。
【００７１】
さらに、容器２７４内には、多孔質部材１０５０が配備されている。多孔質部材１０５０は、容器２７４内のインクの波打ちや泡立ちを防止する。それによって、弾性波発生手段２６０が誤ってインクの有無を検出することを防止することができる。
【００７２】
多孔質部材１０５０は、インクの液面の下方にある下面１０５５が容器２７４の底面の傾斜と平行になるように配備されている。下面１０５５と弾性波発生手段２６０との間には間隙がある。下面１０５５と容器２７４の底面との間の間隙には、インク層１０６０が存在する。
【００７３】
また、容器２７４内にインクが満たされ、インク層１０６０にインクが満たされている場合には、弾性波発生手段２６０から発生した弾性波に対する反射波は変化しない。一方で、容器２７４内のインクが消費されると、インク層１０６０にインクの代りに空隙が生じる。それに伴い弾性波発生手段２６０から発生した弾性波に対する反射波は徐々に変化する。従って、弾性波発生手段２６０は、インクエンド付近でのインク量を検出することができる。インク層１０６０の幅は、図９と同様に、限定しない。
【００７４】
図１５は、本発明のインクカートリッジ２７２及びインクジェット記録装置の更に他の実施形態を示す。図１５のインクジェット記録装置は、インクカートリッジ２７２のインク供給口２７６側の側面２７４ｂに凸部２５８’を有する。凸部２５８’は、弾性波発生手段２６０’を含む。凸部２５８’に係合するようにゲル化材２８０’が、インクカートリッジ２７２の側面２７４ｂに設けられている。図１５のインクカートリッジ２７２によれば、インク残量が少なくなり、弾性波発生手段２６０’の弾性波の照射領域の一部が液面から露出すると、弾性波発生手段２６０’が発生した弾性波の音響インピーダンスが、液面の変化Δｈ２に対応して連続的に変化する。Δｈ２は、ゲル化材２８０’の上端と下端との高さの差を表す。したがって、反射波の弾性波発生手段２６０’への到来時間又は音響インピーダンスの変化の度合いを検出することにより、インクの液面を正確に検出することができる。
【００７５】
本実施例に従ったインクカートリッジはさらに容器２７４内に多孔質部材１０５０が配備される。インクジェット記録装置は、容器２７４のインク供給口２７６側の側面２７４ｂに、弾性波発生手段２６０’を含む凸部２５８’を有する。多孔質部材１０５０は、その側面１０５６が側面２７４ｂと平行になるように配備されている。側面１０５６と弾性波発生手段２６０’との間の間隙には、インク層１０６０が存在する。
【００７６】
多孔質部材１０５０は、容器２７４内のインクの波打ちおよび泡立ちを防止する。それによって、弾性波発生手段２６０’が誤ってインクの有無を検出することを防止することができる。
【００７７】
また、容器２７４内にインクが満たされ、インク層１０６０にインクが満たされている場合には、弾性波発生手段２６０’から発生した弾性波に対する反射波は変化しない。一方で、容器２７４内のインクが消費されると、インク層１０６０のうち、ゲル化材２８０’の高さ方向の幅Δｈ2に該当する部分に空隙が生じる。それに伴い弾性波発生手段２６０’から発生した弾性波に対する反射波は徐々に変化する。従って、弾性波発生手段２６０’は、高さ方向の幅Δｈ2にインクの液面がある場合のインクの消費状態を検出することができる。
【００７８】
インクの液面がΔｈ2の範囲内にあれば、弾性波発生手段２６０’は、インクの液面を検出することができる。本実施例によるインクカートリッジによれば、多孔質部材１０５０の側面１０５６と弾性波発生手段２６０’との間には間隙あるので、多孔質部材１０５０が配備されていても、弾性波発生手段２６０’は、Δｈ2の範囲内においてインクの液面を検出することができる。従って、Δｈ2の幅を大きくすることによって、弾性波発生手段２６０’は、インクが満たされているときのインクの液面からインクニアエンドのときのインクの液面までを検出することができる。
【００７９】
なお、上述の実施例においては、液面での反射波に基づいてインク残量を検出する場合に、同一の弾性波発生手段２６０及び２６０’により弾性波を送波及び受波した。本発明はこれに限定されるものではなく、たとえば他の実施形態として弾性波の送波及び受波にそれぞれ異なった弾性波発生手段２６０を用いてもよい。
【００８０】
図１６および図１７は、圧電装置の一実施形態であるアクチュエータ１０６の詳細および等価回路を示す。ここでいうアクチュエータは、少なくとも音響インピーダンスの変化を検知して液体容器内の液体の消費状態を検出する方法に用いられる。特に、残留振動により共振周波数の検出することで、少なくとも音響インピーダンスの変化を検知して液体容器内の液体の消費状態を検出する方法に用いられる。図１６（Ａ）は、アクチュエータ１０６の拡大平面図である。図１６（Ｂ）は、アクチュエータ１０６のＢ−Ｂ断面を示す。図１６（Ｃ）は、アクチュエータ１０６のＣ-Ｃ断面を示す。さらに図１７（Ａ)および図１７（Ｂ)は、アクチュエータ１０６の等価回路を示す。また、図１７（Ｃ)および図１７（Ｄ)は、それぞれインクカートリッジ内にインクが満たされているときのアクチュエータ１０６を含む周辺およびその等価回路を示し、図１７（Ｅ)および図１７（Ｆ)は、それぞれインクカートリッジ内にインクが無いときのアクチュエータ１０６を含む周辺およびその等価回路を示す。
【００８１】
アクチュエータ１０６は、ほぼ中央に円形状の開口１６１を有する基板１７８と、開口１６１を被覆するように基板１７８の一方の面（以下、表面という）に配備される振動板１７６と、振動板１７６の表面の側に配置される圧電層１６０と、圧電層１６０を両方からはさみこむ上部電極１６４および下部電極１６６と、上部電極１６４と電気的に結合する上部電極端子１６８と、下部電極１６６と電気的に結合する下部電極端子１７０と、上部電極１６４および上部電極端子１６８の間に配設され、かつ両者を電気的に結合する補助電極１７２と、を有する。圧電層１６０、上部電極１６４および下部電極１６６はそれぞれの主要部として円形部分を有する。圧電層１６０、上部電極１６４および下部電極１６６のそれぞれの円形部分は圧電素子を形成する。
【００８２】
振動板１７６は、基板１７８の表面に、開口１６１を覆うように形成される。キャビティ１６２は、振動板１７６の開口１６１と面する部分と基板１７８の表面の開口１６１とによって形成される。基板１７８の圧電素子とは反対側の面（以下、裏面という）は液体容器側に面しており、キャビティ１６２は液体と接触するように構成されている。キャビティ１６２内に液体が入っても基板１７８の表面側に液体が漏れないように、振動板１７６は基板１７８に対して液密に取り付けられる。
【００８３】
下部電極１６６は振動板１７６の表面、即ち液体容器とは反対側の面に位置しており、下部電極１６６の主要部である円形部分の中心と開口１６１の中心とがほぼ一致するように取り付けられている。なお、下部電極１６６の円形部分の面積が開口１６１の面積よりも小さくなるように設定されている。一方、下部電極１６６の表面側には、圧電層１６０が、その円形部分の中心と開口１６１の中心とがほぼ一致するように形成されている。圧電層１６０の円形部分の面積は、開口１６１の面積よりも小さく、かつ下部電極１６６の円形部分の面積よりも大きくなるように設定されている。
【００８４】
一方、圧電層１６０の表面側には、上部電極１６４が、その主要部である円形部分の中心と開口１６１の中心とがほぼ一致するように形成される。上部電極１６４の円形部分の面積は、開口１６１および圧電層１６０の円形部分の面積よりも小さく、かつ下部電極１６６の円形部分の面積よりも大きくなるよう設定されている。
【００８５】
したがって、圧電層１６０の主要部は、上部電極１６４の主要部と下部電極１６６の主要部とによって、それぞれ表面側と裏面側とから挟みこまれる構造となっていて、圧電層１６０を効果的に変形駆動することができる。圧電層１６０、上部電極１６４および下部電極１６６のそれぞれの主要部である円形部分がアクチュエータ１０６における圧電素子を形成する。上述のように圧電素子は振動板１７６に接している。また、上部電極１６４の円形部分、圧電層１６０の円形部分、下部電極１６６の円形部分および開口１６１のうちで、面積が最も大きいのは開口１６１である。この構造によって、振動板１７６のうち実際に振動する振動領域は、開口１６１によって決定される。また、上部電極１６４の円形部分、圧電層１６０の円形部分および下部電極１６６の円形部分は開口１６１より面積が小さいので、振動板１７６がより振動しやすくなる。さらに、圧電層１６０と電気的に接続する下部電極１６６の円形部分および上部電極１６４の円形部分のうち、下部電極１６６の円形部分の方が小さい。従って、下部端子１６６の円形部分が圧電層１６０のうち圧電効果を発生する部分を決定する。
【００８６】
上部電極端子１６８は、補助電極１７２を介して上部電極１６４と電気的に接続するように振動板１７６の表面側に形成される。一方、下部電極端子１７０は、下部電極１６６に電気的に接続するように振動板１７６の表面側に形成される。上部電極１６４は、圧電層１６０の表面側に形成されるため、上部電極端子１６８と接続する途中において、圧電層１６０の厚さと下部電極１６６の厚さとの和に等しい段差を有する必要がある。上部電極１６４だけでこの段差を形成することは難しく、かりに可能であったとしても上部電極１６４と上部電極端子１６８との接続状態が弱くなってしまい、切断してしまう危険がある。そこで、補助電極１７２を補助部材として用いて上部電極１６４と上部電極端子１６８とを接続させている。このようにすることで、圧電層１６０も上部電極１６４も補助電極１７２に支持された構造となり、所望の機械的強度を得ることができ、また上部電極１６４と上部電極端子１６８との接続を確実にすることが可能となる。
【００８７】
なお、圧電素子と振動板１７６のうちの圧電素子に直面する振動領域とが、アクチュエータ１０６において実際に振動する振動部である。また、アクチュエータ１０６に含まれる部材は、互いに焼成されることによって一体的に形成されることが好ましい。アクチュエータ１０６を一体的に形成することによって、アクチュエータ１０６の取り扱いが容易になる。さらに、基板１７８の強度を高めることによって振動特性が向上する。即ち、基板１７８の強度を高めることによって、アクチュエータ１０６の振動部のみが振動し、アクチュエータ１０６のうち振動部以外の部分が振動しない。また、アクチュエータ１０６の振動部以外の部分が振動しないためには、基板１７８の強度を高めるのに対し、アクチュエータ１０６の圧電素子を薄くかつ小さくし、振動板１７６を薄くすることによって達成できる。
【００８８】
圧電層１６０の材料としては、ジルコン酸チタン酸鉛（ＰＺＴ）、ジルコン酸チタン酸鉛ランタン（ＰＬＺＴ）または鉛を使用しない鉛レス圧電膜を用いることが好ましく、基板１７８の材料としてジルコニアまたはアルミナを用いることが好ましい。また、振動板１７６には、基板１７８と同じ材料を用いることが好ましい。上部電極１６４、下部電極１６６、上部電極端子１６８および下部電極端子１７０は、導電性を有する材料、例えば、金、銀、銅、プラチナ、アルミニウム、ニッケルなどの金属を用いることができる。
【００８９】
上述したように構成されるアクチュエータ１０６は、液体を収容する容器に適用することができる。例えば、インクジェット記録装置に用いられるインクカートリッジやインクタンク、あるいは記録ヘッドを洗浄するための洗浄液を収容した容器などに装着することができる。
【００９０】
図１６および図１７に示されるアクチュエータ１０６は、液体容器の所定の場所に、キャビティ１６２を液体容器内に収容される液体と接触するように装着される。液体容器に液体が十分に収容されている場合には、キャビティ１６２内およびその外側は液体によって満たされている。一方、液体容器の液体が消費され、アクチュエータの装着位置以下まで液面が降下すると、キャビティ１６２内には液体は存在しないか、あるいはキャビティ１６２内にのみ液体が残存されその外側には気体が存在する状態となる。アクチュエータ１０６は、この状態の変化に起因する、少なくとも音響インピーダンスの相違を検出する。それによって、アクチュエータ１０６は、液体容器に液体が十分に収容されている状態であるか、あるいはある一定以上の液体が消費された状態であるかを検知することができる。さらに、アクチュエータ１０６は、液体容器内の液体の種類も検出することが可能である。
【００９１】
ここでアクチュエータによる液面検出の原理について説明する。
【００９２】
媒体の音響インピーダンスの変化を検出するには、媒体のインピーダンス特性またはアドミッタンス特性を測定する。インピーダンス特性またはアドミッタンス特性を測定する場合には、例えば伝送回路を利用することができる。伝送回路は、媒体に一定電圧を印加し、周波数を変えて媒体に流れる電流を測定する。または、伝送回路は、媒体に一定電流を供給し、周波数を変えて媒体に印加される電圧を測定する。伝送回路で測定された電流値または電圧値の変化は音響インピーダンスの変化を示す。また、電流値または電圧値が極大または極小となる周波数ｆｍの変化も音響インピーダンスの変化を示す。
【００９３】
上記の方法とは別に、アクチュエータは、液体の音響インピーダンスの変化を共振周波数のみの変化を用いて検出することができる。液体の音響インピーダンスの変化を利用する方法として、アクチュエータの振動部が振動した後に振動部に残留する残留振動によって生ずる逆起電力を測定することによって共振周波数を検出する方法を用いる場合には、例えば圧電素子を利用することができる。圧電素子は、アクチュエータの振動部に残留する残留振動により逆起電力を発生する素子であり、アクチュエータの振動部の振幅によって逆起電力の大きさが変化する。従って、アクチュエータの振動部の振幅が大きいほど検出がしやすい。また、アクチュエータの振動部における残留振動の周波数によって逆起電力の大きさが変化する周期が変わる。従って、アクチュエータの振動部の周波数は逆起電力の周波数に対応する。ここで、共振周波数は、アクチュエータの振動部と振動部に接する媒体との共振状態における周波数をいう。
【００９４】
共振周波数ｆｓを得るために、振動部と媒体とが共振状態であるときの逆起電力測定によって得られた波形をフーリエ変換する。アクチュエータの振動は、一方向だけの変形ではなく、たわみや伸長等様々な変形をともなうので、共振周波数ｆｓを含め様々な周波数を有する。よって、圧電素子と媒体とが共振状態であるときの逆起電力の波形をフーリエ変換し、最も支配的な周波数成分を特定することで、共振周波数ｆｓを判断する。
【００９５】
周波数ｆｍは、媒体のアドミッタンスが極大またはインピーダンスが極小であるときの周波数である。共振周波数ｆｓとすると、周波数ｆｍは、媒体の誘電損失または機械的損失などによって、共振周波数ｆｓに対しわずかな誤差を生ずる。しかし、実測される周波数ｆｍから共振周波数ｆｓを導出することは手間がかかるため、一般には、周波数ｆｍを共振周波数に代えて使用する。ここで、アクチュエータ１０６の出力を伝送回路に入力することで、アクチュエータ１０６は少なくとも音響インピーダンスを検出することができる。
【００９６】
媒体のインピーダンス特性またはアドミッタンス特性を測定し周波数ｆｍを測定する方法と、アクチュエータの振動部における残留振動振動によって生ずる逆起電力を測定することによって共振周波数ｆｓを測定する方法と、によって特定される共振周波数に差がほとんど無いことが実験によって証明されている。
【００９７】
アクチュエータ１０６の振動領域は、振動板１７６のうち開口１６１によって決定されるキャビティ１６２を構成する部分である。液体容器内に液体が充分に収容されている場合には、キャビティ１６２内には、液体が満たされ、振動領域は液体容器内の液体と接触する。一方で、液体容器内に液体が充分にない場合には、振動領域は液体容器内のキャビティに残った液体と接するか、あるいは液体と接触せず、気体または真空と接触する。
【００９８】
本発明のアクチュエータ１０６にはキャビティ１６２が設けられ、それによって、アクチュエータ１０６の振動領域に液体容器内の液体が残るように設計できる。その理由は次の通りである。
【００９９】
アクチュエータの液体容器への取り付け位置や取り付け角度によっては、液体容器内の液体の液面がアクチュエータの装着位置よりも下方にあるにもかかわらず、アクチュエータの振動領域に液体が付着してしまう場合がある。振動領域における液体の有無だけでアクチュエータが液体の有無を検出している場合には、アクチュエータの振動領域に付着した液体が液体の有無の正確な検出を妨げる。たとえば、液面がアクチュエータの装着位置よりも下方にある状態のとき、キャリッジの往復移動などにより液体容器が揺動して液体が波うち、振動領域に液滴が付着してしまうと、アクチュエータは液体容器内に液体が充分にあるとの誤った判断をしてしまう。そこで、逆にそこに液体を残存した場合であっても液体の有無を正確に検出するように設計されたキャビティを積極的に設けることで、液体容器が揺動して液面が波立ったとしても、アクチュエータの誤動作を防止することができる。このように、キャビティを有するアクチュエータを用いることで、誤動作を防ぐことができる。
【０１００】
また、図１７（Ｅ)に示すように、液体容器内に液体が無く、アクチュエータ１０６のキャビティ１６２に液体容器内の液体が残っている場合を、液体の有無の閾値とする。すなわち、キャビティ１６２の周辺に液体が無く、この閾値よりキャビティ内の液体が少ない場合は、インク無しと判断し、キャビティ１６２の周辺に液体が有り、この閾値より液体が多い場合は、インク有りと判断する。例えば、アクチュエータ１０６を液体容器の側壁に装着した場合、液体容器内の液体がアクチュエータの装着位置よりも下にある場合をインク無しと判断し、液体容器内の液体がアクチュエータの装着位置より上にある場合をインク有りと判断する。このように閾値を設定することによって、キャビティ内のインクが乾燥してインクが無くなったときであってもインク無しと判断し、キャビティ内のインクが無くなったところにキャリッジの揺れなどで再度インクがキャビティに付着しても閾値を越えないので、インク無しと判断することができる。
【０１０１】
ここで、図１６および図１７を参照しながら逆起電力の測定による媒体とアクチュエータ１０６の振動部との共振周波数から液体容器内の液体の状態を検出する動作および原理について説明する。アクチュエータ１０６において、上部電極端子１６８および下部電極端子１７０を介して、それぞれ上部電極１６４および下部電極１６６に電圧を印加する。圧電層１６０のうち、上部電極１６４および下部電極１６６に挟まれた部分には電界が生じる。その電界によって、圧電層１６０は変形する。圧電層１６０が変形することによって振動板１７６のうちの振動領域がたわみ振動する。圧電層１６０が変形した後しばらくは、たわみ振動がアクチュエータ１０６の振動部に残留する。
【０１０２】
残留振動は、アクチュエータ１０６の振動部と媒体との自由振動である。従って、圧電層１６０に印加する電圧をパルス波形あるいは矩形波とすることで、電圧を印加した後に振動部と媒体との共振状態を容易に得ることができる。残留振動は、アクチュエータ１０６の振動部を振動させるため、圧電層１６０をも変形する。従って、圧電層１６０は逆起電力を発生する。その逆起電力は、上部電極１６４、下部電極１６６、上部電極端子１６８および下部電極端子１７０を介して検出される。検出された逆起電力によって、共振周波数が特定できるため、液体容器内の液体の状態を検出することができる。
【０１０３】
一般に、共振周波数ｆｓは、
ｆｓ＝１／（２＊π＊(Ｍ＊Ｃact)1/2）            （式1）
で表される。ここで、Ｍは振動部のイナータンスＭactと付加イナータンスＭ’との和である。Ｃactは振動部のコンプライアンスである。
【０１０４】
図１６（Ｃ）は、本実施例において、キャビティにインクが残存していないときのアクチュエータ１０６の断面図である。図１７（Ａ)および図１７（Ｂ)は、キャビティにインクが残存していないときのアクチュエータ１０６の振動部およびキャビティ１６２の等価回路である。
【０１０５】
Ｍactは、振動部の厚さと振動部の密度との積を振動部の面積で除したものであり、さらに詳細には、図１７（Ａ)に示すように、
Ｍact＝Ｍpzt＋Ｍelectrode1＋Ｍelectrode2＋Ｍvib        （式２）
と表される。ここで、Ｍpztは、振動部における圧電層１６０の厚さと圧電層１６０の密度との積を圧電層１６０の面積で除したものである。Ｍelectrode1は、振動部における上部電極１６４の厚さと上部電極１６４の密度との積を上部電極１６４の面積で除したものである。Ｍelectrode2は、振動部における下部電極１６６の厚さと下部電極１６６の密度との積を下部電極１６６の面積で除したものである。Ｍvibは、振動部における振動板１７６の厚さと振動板１７６の密度との積を振動板１７６の振動領域の面積で除したものである。ただし、Ｍactを振動部全体としての厚さ、密度および面積から算出することができるように、本実施例では、圧電層１６０、上部電極１６４、下部電極１６６および振動板１７６の振動領域のそれぞれの面積は、上述のような大小関係を有するものの、相互の面積の差は微小であることが好ましい。また、本実施例において、圧電層１６０、上部電極１６４および下部電極１６６においては、それらの主要部である円形部分以外の部分は、主要部に対して無視できるほど微小であることが好ましい。従って、アクチュエータ１０６において、Ｍactは、上部電極１６４、下部電極１６６、圧電層１６０および振動板１７６のうちの振動領域のそれぞれのイナータンスの和である。また、コンプライアンスＣactは、上部電極１６４、下部電極１６６、圧電層１６０および振動板１７６のうちの振動領域によって形成される部分のコンプライアンスである。
【０１０６】
尚、図１７（Ａ)、図１７（Ｂ)、図１７（Ｄ)、図１７（Ｆ)は、アクチュエータ１０６の振動部およびキャビティ１６２の等価回路を示すが、これらの等価回路において、Ｃactはアクチュエータ１０６の振動部のコンプライアンスを示す。Ｃpzt、Ｃelectrode1、Ｃelectrode2およびＣvibはそれぞれ振動部における圧電層１６０、上部電極１６４、下部電極１６６および振動板１７６のコンプライアンスを示す。Ｃactは、以下の式３で表される。
【０１０７】
1/Ｃact＝（1/Ｃpzt）＋（1/Ｃelectrode1）＋（1/Ｃelectrode2）＋（1/Ｃvib）      （式３）
式２および式３より、図１７（Ａ)は、図１７（Ｂ)のように表すこともできる。
【０１０８】
コンプライアンスＣactは、振動部の単位面積に圧力をかけたときの変形によって媒体を受容できる体積を表す。また、コンプライアンスＣactは、変形のし易さを表すといってもよい。
【０１０９】
図１７（Ｃ)は、液体容器に液体が十分に収容され、アクチュエータ１０６の振動領域の周辺に液体が満たされている場合のアクチュエータ１０６の断面図を示す。図１７（Ｃ)のＭ’maxは、液体容器に液体が十分に収容され、アクチュエータ１０６の振動領域の周辺に液体が満たされている場合の付加イナータンスの最大値を表す。Ｍ’ maxは、
【０１１０】
Ｍ’max＝(π*ρ/(2*k3))*(2*(2*k*a)3/(3*π))/(π*a2)2     （式４）
（ａは振動部の半径、ρは媒体の密度、ｋは波数である。）
【０１１１】
で表される。尚、式４は、アクチュエータ１０６の振動領域が半径ａの円形である場合に成立する。付加イナータンスＭ’は、振動部の付近にある媒体の作用によって、振動部の質量が見かけ上増加していることを示す量である。式４からわかるように、Ｍ’maxは振動部の半径ａと、媒体の密度ρとによって大きく変化する。
【０１１２】
波数kは、
ｋ＝２＊π＊ｆact／ｃ        （式５）
（factは液体が触れていないときの振動部の共振周波数である。cは媒体中を伝播する音響の速度である。）
【０１１３】
で表される。
【０１１４】
図１７（Ｄ)は、液体容器に液体が十分に収容され、アクチュエータ１０６の振動領域の周辺に液体が満たされている図１７（Ｃ)の場合のアクチュエータ１０６の振動部およびキャビティ１６２の等価回路を示す。
【０１１５】
図１７（Ｅ)は、液体容器の液体が消費され、アクチュエータ１０６の振動領域の周辺に液体が無いものの、アクチュエータ１０６のキャビティ１６２内には液体が残存している場合のアクチュエータ１０６の断面図を示す。式４は、例えば、液体容器に液体が満たされている場合に、インクの密度ρなどから決定される最大のイナータンスＭ’maxを表す式である。一方、液体容器内の液体が消費され、キャビティ１６２内に液体が残留しつつアクチュエータ１０６の振動領域の周辺にある液体が気体または真空になった場合には、
【０１１６】
Ｍ’＝ρ*ｔ/Ｓ        （式６）
と表せる。ｔは、振動にかかわる媒体の厚さである。Ｓは、アクチュエータ１０６の振動領域の面積である。この振動領域が半径ａの円形の場合は、Ｓ＝π*ａ2である。従って、付加イナータンスＭ’は、液体容器に液体が十分に収容され、アクチュエータ１０６の振動領域の周辺に液体が満たされている場合には、式４に従う。一方で、液体が消費され、キャビティ１６２内に液体が残留しつつアクチュエータ１０６の振動領域の周辺にある液体が気体または真空になった場合には、式６に従う。
【０１１７】
ここで、図１７（Ｅ)のように、液体容器の液体が消費され、アクチュエータ１０６の振動領域の周辺に液体が無いものの、アクチュエータ１０６のキャビティ１６２内には液体が残存している場合の付加イナータンスＭ’を便宜的にＭ’cavとし、アクチュエータ１０６の振動領域の周辺に液体が満たされている場合の付加イナータンスＭ’maxと区別する。
【０１１８】
図１７（Ｆ)は、液体容器の液体が消費され、アクチュエータ１０６の振動領域の周辺に液体が無いものの、アクチュエータ１０６のキャビティ１６２内には液体が残存している図１７（Ｅ)の場合のアクチュエータ１０６の振動部およびキャビティ１６２の等価回路を示す。
【０１１９】
ここで、媒体の状態に関係するパラメータは、式６において、媒体の密度ρおよび媒体の厚さｔである。液体容器内に液体が充分に収容されている場合は、アクチュエータ１０６の振動部に液体が接触し、液体容器内に液体が充分に収容されていない場合は、キャビティ内部に液体が残存するか、もしくはアクチュエータ１０６の振動部に気体または真空が接触する。アクチュエータ１０６の周辺の液体が消費され、図１７（Ｃ)のＭ’maxから図１７（Ｅ)のＭ’cavへ移行する過程における付加イナータンスをＭ’ varとすると、液体容器内の液体の収容状態によって、媒体の厚さｔが変化するため、付加イナータンスＭ’varが変化し、共振周波数ｆｓも変化することになる。従って、共振周波数ｆｓを特定することによって、液体容器内の液体の有無を検出することができる。ここで、図１７(Ｅ)に示すようにｔ＝ｄとした場合、式６を用いてＭ’cavを表すと、式６のｔにキャビティの深さｄを代入し、
【０１２０】
Ｍ’cav＝ρ*ｄ/Ｓ        （式７）
となる。
【０１２１】
また、媒体が互いに種類の異なる液体であっても、組成の違いによって密度ρが異なるため、付加イナータンスＭ´が変化し、共振周波数ｆｓも変化する。従って、共振周波数ｆｓを特定することで、液体の種類を検出できる。
尚、アクチュエータ１０６の振動部にインクまたは空気のいずれか一方のみが接触し、混在していない場合には、式４によって計算しても、Ｍ’の相違を検出できる。
【０１２２】
図１８（Ａ）は、インクタンク内のインクの量とインクおよび振動部の共振周波数ｆｓとの関係を示すグラフである。ここでは液体の１例としてインクについて説明する。縦軸は、共振周波数ｆｓを示し、横軸は、インク量を示す。インク組成が一定であるとき、インク残量の低下に伴い、共振周波数ｆｓは、上昇する。
【０１２３】
インク容器にインクが十分に収容され、アクチュエータ１０６の振動領域の周辺にインクが満たされている場合には、その最大付加イナータンスＭ’maxは式４に表わされる値となる。一方で、インクが消費され、キャビティ１６２内に液体が残留しつつアクチュエータ１０６の振動領域の周辺にインクが満たされていないときには、付加イナータンスＭ’varは、媒体の厚さｔに基づいて式６によって算出される。式６中のｔは振動にかかわる媒体の厚さであるから、アクチュエータ１０６のキャビティ１６２のｄ(図１６（Ｂ）参照)を小さく、即ち、基板１７８を十分に薄くすることによって、インクが徐々に消費されていく過程を検出することもできる（図１７（Ｃ)参照）。ここで、ｔinkは振動にかかわるインクの厚さとし、ｔink−maxはＭ’maxにおけるｔinkとする。例えば、インクカートリッジの底面にアクチュエータ１０６をインクの液面に対してほぼ水平に配備する。インクが消費され、インクの液面がアクチュエータ１０６からｔink−maxの高さ以下に達すると、式６によりＭ’varが徐々に変化し、式１により共振周波数ｆｓが徐々に変化する。従って、インクの液面がｔの範囲内にある限り、アクチュエータ１０６はインクの消費状態を徐々に検出することができる。
【０１２４】
また、アクチュエータ１０６の振動領域を大きくまたは長くし、かつ縦に配置することによってインクの消費による液面の位置にしたがって、式６中のＳが変化する。従って、アクチュエータ１０６はインクが徐々に消費されていく過程を検出することもできる。例えば、インクカートリッジの側壁にアクチュエータ１０６をインクの液面に対してほぼ垂直に配備する。インクが消費され、インクの液面がアクチュエータ１０６の振動領域に達すると、水位の低下に伴い付加イナータンスＭ’が減少するので、式１により共振周波数ｆｓが徐々に増加する。従って、インクの液面が、キャビティ１６２の径２ａ（図１７（Ｃ)参照）の範囲内にある限り、アクチュエータ１０６はインクの消費状態を徐々に検出することができる。
【０１２５】
図１８(Ａ)の曲線Ｘは、アクチュエータ１０６のキャビティ１６２を十分に浅くした場合や、アクチュエータ１０６の振動領域を十分に大きくまたは長くした場合のインクタンク内に収容されたインクの量とインクおよび振動部の共振周波数ｆｓとの関係を表わしている。インクタンク内のインクの量が減少するとともに、インクおよび振動部の共振周波数ｆｓが徐々に変化していく様子が理解できる。
【０１２６】
より詳細には、インクが徐々に消費されていく過程を検出することができる場合とは、アクチュエータ１０６の振動領域の周辺において、互いに密度が異なる液体と気体とがともに存在し、かつ振動にかかわる場合である。インクが徐々に消費されていくに従って、アクチュエータ１０６の振動領域周辺において振動にかかわる媒体は、液体が減少する一方で気体が増加する。例えば、アクチュエータ１０６をインクの液面に対して水平に配備した場合であって、ｔinkがｔink−maxより小さいときには、アクチュエータ１０６の振動にかかわる媒体はインクと気体との両方を含む。したがって、アクチュエータ１０６の振動領域の面積Ｓとすると、式４のＭ’max以下になった状態をインクと気体の付加質量で表すと、
【０１２７】
Ｍ’＝Ｍ’air＋Ｍ’ink＝ ρair*ｔair/Ｓ+ρink*ｔink/Ｓ    （式８）
となる。ここで、Ｍ’airは空気のイナータンスであり、Ｍ’inkはインクのイナータンスである。ρairは空気の密度であり、ρinkはインクの密度である。ｔairは振動にかかわる空気の厚さであり、ｔinkは振動にかかわるインクの厚さである。アクチュエータ１０６の振動領域周辺における振動にかかわる媒体のうち、液体が減少して気体が増加するに従い、アクチュエータ１０６がインクの液面に対しほぼ水平に配備されている場合には、ｔairが増加し、ｔinkが減少する。それによって、Ｍ’varが徐々に減少し、共振周波数が徐々に増加する。よって、インクタンク内に残存しているインクの量またはインクの消費量を検出することができる。尚、式７において液体の密度のみの式となっているのは、液体の密度に対して、空気の密度が無視できるほど小さい場合を想定しているからである。
【０１２８】
アクチュエータ１０６がインクの液面に対しほぼ垂直に配備されている場合には、アクチュエータ１０６の振動領域のうち、アクチュエータ１０６の振動にかかわる媒体がインクのみの領域と、アクチュエータ１０６の振動にかかわる媒体が気体の領域との並列の等価回路（図示せず）と考えられる。アクチュエータ１０６の振動にかかわる媒体がインクのみの領域の面積をＳinkとし、アクチュエータ１０６の振動にかかわる媒体が気体のみの領域の面積をＳairとすると、
【０１２９】
1/Ｍ’＝1/Ｍ’air＋1/Ｍ’ink＝Ｓair/（ρair*ｔair）+Ｓink/（ρink*ｔink）    （式９）
となる。
【０１３０】
尚、式９は、アクチュエータ１０６のキャビティにインクが保持されない場合に適用される。アクチュエータ１０６のキャビティにインクが保持される場合については、式７、式８および式９によって計算することができる。
【０１３１】
一方、基板１７８が厚く、即ち、キャビティ１６２の深さｄが深く、ｄが媒体の厚さｔink-maxに比較的近い場合や、液体容器の高さに比して振動領域が非常に小さいアクチュエータを用いる場合には、実際上はインクが徐々に減少する過程を検出するというよりはインクの液面がアクチュエータの装着位置より上位置か下位置かを検出することになる。換言すると、アクチュエータの振動領域におけるインクの有無を検出することになる。例えば、図１８(Ａ)の曲線Ｙは、小さい円形の振動領域の場合におけるインクタンク内のインクの量とインクおよび振動部の共振周波数ｆｓとの関係を示す。インクタンク内のインクの液面がアクチュエータの装着位置を通過する前後におけるインク量Ｑの間で、インクおよび振動部の共振周波数ｆｓが激しく変化している様子が示される。このことから、インクタンク内にインクが所定量残存しているか否かを検出することができる。
【０１３２】
図１８（Ｂ）は、図１８（Ａ）の曲線Ｙにおけるインクの密度とインクおよび振動部の共振周波数ｆｓとの関係を示す。液体の例としてインクを挙げている。図１８（Ｂ）に示すように、インク密度が高くなると、付加イナータンスが大きくなるので共振周波数ｆｓが低下する。すなわち、インクの種類によって共振周波数ｆｓが異なる。したがって共振周波数ｆｓを測定することによって、インクを再充填する際に、密度の異なったインクが混入されていないか確認することができる。
【０１３３】
つまり、互いに種類の異なるインクを収容するインクタンクを識別できる。
【０１３４】
続いて、液体容器内の液体が空の状態であってもアクチュエータ１０６のキャビティ１６２内に液体が残存するようにキャビティのサイズと形状を設定した時の、液体の状態を正確に検出できる条件を詳述する。アクチュエータ１０６は、キャビティ１６２内に液体が満たされている場合に液体の状態を検出できれば、キャビティ１６２内に液体が満たされていない場合であっても液体の状態を検出できる。
【０１３５】
共振周波数ｆｓは、イナータンスＭの関数である。イナータンスＭは、振動部のイナータンスＭactと付加イナータンスＭ’との和である。ここで、付加イナータンスＭ’が液体の状態と関係する。付加イナータンスＭ’は、振動部の付近にある媒体の作用によって振動部の質量が見かけ上増加していることを示す量である。即ち、振動部の振動によって見かけ上媒体を吸収することによる振動部の質量の増加分をいう。
【０１３６】
従って、Ｍ’cavが式４におけるＭ’maxよりも大きい場合には、見かけ上吸収する媒体は全てキャビティ１６２内に残存する液体である。よって、液体容器内に液体が満たされている状態と同じである。この場合にはＭ’が変化しないので、共振周波数ｆｓも変化しない。従って、アクチュエータ１０６は、液体容器内の液体の状態を検出できないことになる。
【０１３７】
一方、Ｍ’cavが式４におけるＭ’ maxよりも小さい場合には、見かけ上吸収する媒体はキャビティ１６２内に残存する液体および液体容器内の気体または真空である。このときには液体容器内に液体が満たされている状態とは異なりＭ’が変化するので、共振周波数ｆｓが変化する。従って、アクチュエータ１０６は、液体容器内の液体の状態を検出できる。
【０１３８】
即ち、液体容器内の液体が空の状態で、アクチュエータ１０６のキャビティ１６２内に液体が残存する場合に、アクチュエータ１０６が液体の状態を正確に検出できる条件は、Ｍ’cavがＭ’maxよりも小さいことである。尚、アクチュエータ１０６が液体の状態を正確に検出できる条件Ｍ’max＞Ｍ’cavは、キャビティ１６２の形状にかかわらない。
【０１３９】
ここで、Ｍ’cavは、キャビティ１６２の容量とほぼ等しい容量の液体の質量である。従って、Ｍ’max＞Ｍ’cavの不等式から、アクチュエータ１０６が液体の状態を正確に検出できる条件は、キャビティ１６２の容量の条件として表すことができる。例えば、円形状のキャビティ１６２の開口１６１の半径をaとし、およびキャビティ１６２の深さをｄとすると、
【０１４０】
Ｍ’max＞ρ＊ｄ/πa2          （式１０）
である。式１０を展開すると
【０１４１】
ａ／ｄ＞３＊π／８        （式１１）
という条件が求められる。尚、式１０、式１１は、キャビティ１６２の形状が円形の場合に限り成立する。円形でない場合のＭ’maxの式を用い、式１０中のπa2をその面積と置き換えて計算すれば、キャビティの幅および長さ等のディメンジョンと深さの関係が導き出せる。
【０１４２】
従って、式１１を満たす開口１６１の半径aおよびキャビティ１６２の深さｄであるキャビティ１６２を有するアクチュエータ１０６であれば、液体容器内の液体が空の状態であって、かつキャビティ１６２内に液体が残存する場合であっても、誤作動することなく液体の状態を検出できる。
【０１４３】
付加イナータンスＭ’は音響インピーダンス特性にも影響するので、残留振動によりアクチュエータ１０６に発生する逆起電力を測定する方法は、少なくとも音響インピーダンスの変化を検出しているともいえる。
【０１４４】
また、本実施例によれば、アクチュエータ１０６が振動を発生してその後の残留振動によりアクチュエータ１０６に発生する逆起電力を測定している。しかし、アクチュエータ１０６の振動部が駆動電圧による自らの振動によって液体に振動を与えることは必ずしも必要ではない。即ち、振動部が自ら発振しなくても、それと接触しているある範囲の液体と共に振動することで、圧電層１６０がたわみ変形する。この残留振動が圧電層１６０に逆起電力電圧を発生させ、上部電極１６４および下部電極１６６にその逆起電力電圧を伝達する。この現象を利用することで媒体の状態を検出してもよい。例えば、インクジェット記録装置において、印字時における印字ヘッドの走査によるキャリッジの往復運動による振動によって発生するアクチュエータの振動部の周囲の振動を利用してインクタンクまたはその内部のインクの状態を検出してもよい。
【０１４５】
図１９(Ａ) および図１９（Ｂ）は、アクチュエータ１０６を振動させた後の、アクチュエータ１０６の残留振動の波形と残留振動の測定方法とを示す。インクカートリッジ内のアクチュエータ１０６の装着位置レベルにおけるインク水位の上下は、アクチュエータ１０６が発振した後の残留振動の周波数変化や、振幅の変化によって検出することができる。図１９(Ａ) および図１９（Ｂ）において、縦軸はアクチュエータ１０６の残留振動によって発生した逆起電力の電圧を示し、横軸は時間を示す。アクチュエータ１０６の残留振動によって、図１９(Ａ) および図１９（Ｂ）に示すように電圧のアナログ信号の波形が発生する。次に、アナログ信号を、信号の周波数に対応するデジタル数値に変換する。
【０１４６】
図１９(Ａ) および図１９（Ｂ）に示した例においては、アナログ信号の４パルス目から８パルス目までの４個のパルスが生じる時間を計測することによって、インクの有無を検出する。
【０１４７】
より詳細には、アクチュエータ１０６が発振した後、予め設定された所定の基準電圧を低電圧側から高電圧側へ横切る回数をカウントする。デジタル信号を４カウントから８カウントまでの間をＨｉｇｈとし、所定のクロックパルスによって４カウントから８カウントまでの時間を計測する。
【０１４８】
図１９（Ａ）はアクチュエータ１０６の装着位置レベルよりも上位にインク液面があるときの波形である。一方、図１９（Ｂ）はアクチュエータ１０６の装着位置レベルにおいてインクが無いときの波形である。図１９（Ａ）と図１９（Ｂ）とを比較すると、図１９（Ａ）の方が図１９（Ｂ）よりも４カウントから８カウントまでの時間が長いことがわかる。換言すると、インクの有無によって４カウントから８カウントまでの時間が異なる。この時間の相違を利用して、インクの消費状態を検出することができる。アナログ波形の４カウント目から数えるのは、アクチュエータ１０６の振動が安定してから計測をはじめるためである。４カウント目からとしたのは単なる一例であって、任意のカウントから数えてもよい。ここでは、４カウント目から８カウント目までの信号を検出し、所定のクロックパルスによって４カウント目から８カウント目までの時間を測定する。それによって、共振周波数を求める。クロックパルスは、インクカートリッジに取り付けられる半導体記憶装置等を制御するためのクロックと等しいクロックのパルスであることが好ましい。尚、８カウント目までの時間を測定する必要は無く、任意のカウントまで数えてもよい。図１９においては、４カウント目から８カウント目までの時間を測定しているが周波数を検出する回路構成にしたがって、異なったカウント間隔内の時間を検出してもよい。
【０１４９】
例えば、インクの品質が安定していてピークの振幅の変動が小さい場合には、検出の速度を上げるために４カウント目から６カウント目までの時間を検出することにより共振周波数を求めてもよい。また、インクの品質が不安定でパルスの振幅の変動が大きい場合には、残留振動を正確に検出するために４カウント目から１２カウント目までの時間を検出してもよい。
【０１５０】
また、他の実施例として所定期間内における逆起電力の電圧波形の波数を数えてもよい（図示せず）。この方法によっても共振周波数を求めることができる。より詳細には、アクチュエータ１０６が発振した後、所定期間だけデジタル信号をＨｉｇｈとし、所定の基準電圧を低電圧側から高電圧側へ横切る回数をカウントする。そのカウント数を計測することによってインクの有無を検出できるのである。
【０１５１】
さらに、図１９(Ａ)および図１９(Ｂ)を比較して分かるように、インクがインクカートリッジ内に満たされている場合とインクがインクカートリッジ内に無い場合とでは、逆起電力波形の振幅が異なる。従って、共振周波数を求めることなく、逆起電力波形の振幅を測定することによっても、インクカートリッジ内のインクの消費状態を検出してもよい。より詳細には、例えば、図１９(Ａ)の逆起電力波形の頂点と図１９(Ｂ) の逆起電力波形の頂点との間に基準電圧を設定する。アクチュエータ１０６が発振した後、所定時間にデジタル信号をＨｉｇｈとし、逆起電力波形が基準電圧を横切った場合には、インクが無いと判断する。逆起電力波形が基準電圧を横切らない場合には、インクが有ると判断する。
【０１５２】
図２０は、アクチュエータ１０６の製造方法を示す。複数のアクチュエータ１０６（図２０の例では４個）が一体に形成されている。図２０に示した複数のアクチュエータの一体成形物を、それぞれのアクチュエータ１０６において切断することにより、図２１に示すアクチュエータ１０６を製造する。図２０に示す一体成形された複数のアクチュエータ１０６のそれぞれの圧電素子が円形である場合、一体成形物をそれぞれのアクチュエータ１０６において切断することにより、図１６に示すアクチュエータ１０６を製造することができる。複数のアクチュエータ１０６を一体に形成することにより、複数のアクチュエータ１０６を同時に効率良く製造することができ、運搬時の取り扱いが容易となる。
【０１５３】
アクチュエータ１０６は、薄板又は振動板１７６、基板１７８、弾性波発生手段又は圧電素子１７４、端子形成部材又は上部電極端子１６８、及び端子形成部材又は下部電極端子１７０を有する。圧電素子１７４は、圧電振動板又は圧電層１６０、上電極又は上部電極１６４、及び下電極又は下部電極１６６を含む。基板１７８の上面に振動板１７６が、形成され、振動板１７６の上面に下部電極１６６が形成されている。下部電極１６６の上面には、圧電層１６０が形成され、圧電層１６０の上面に、上部電極１６４が、形成されている。したがって、圧電層１６０の主要部は、上部電極１６４の主要部及び下部電極１６６の主要部によって、上下から挟まれるように形成されている。
【０１５４】
振動板１７６上に複数（図２０の例では４個）の圧電素子１７４が形成されている。振動板１７６の表面に下部電極１６６が形成され、下部電極１６６の表面に圧電層１６０が形成され、圧電層１６０の上面に上部電極１６４が形成される。上部電極１６４及び下部電極１６６の端部に上部電極端子１６８及び下部電極端子１７０が形成される。４個のアクチュエータ１０６は、それぞれ別々に切断されて個別に使用される。
【０１５５】
図２１は、圧電素子が矩形のアクチュエータ１０６の一部分の断面を示す。
【０１５６】
図２２は、図２１に示したアクチュエータ１０６の全体の断面を示す。基板１７８の圧電素子１７４と対向する面には、貫通孔１７８ａが形成されている。貫通孔１７８ａは振動板１７６によって封止されている。振動板１７６はアルミナや酸化ジルコニア等の電気絶縁性を備え、かつ弾性変形可能な材料によって形成されている。貫通孔１７８ａと対向するように、圧電素子１７４が振動板１７６上に形成されている。下部電極１６６は貫通孔１７８ａの領域から一方向、図２２では左方に延びるように振動板１７６の表面に形成されている。上部電極１６４は貫通孔１７８ａの領域から下部電極とは反対の方向に、図２２では右方に延びるように圧電層１６０の表面に形成されている。上部電極端子１６８及び下部電極端子１７０は、それぞれ補助電極１７２及び下部電極１６６の上面に形成されている。下部電極端子１７０は下部電極１６６と電気的に接触し、上部電極端子１６８は補助電極１７２を介して上部電極１６４と電気的に接触して、圧電素子とアクチュエータ１０６の外部との間の信号の受け渡しをする。上部電極端子１６８及び下部電極端子１７０は、電極と圧電層とを合わせた圧電素子の高さ以上の高さを有する。
【０１５７】
図２３は、図２０に示したアクチュエータ１０６の製造方法を示す。まず、グリーンシート９４０にプレスあるいはレーザー加工等を用いて貫通孔９４０ａを穿孔する。グリーンシート９４０は焼成後に基板１７８となる。グリーンシート９４０はセラミック等の材料で形成される。次に、グリーンシート９４０の表面にグリーンシート９４１を積層する。グリーンシート９４１は、焼成後に振動板１７６となる。グリーンシート９４１は、酸化ジルコニア等の材料で形成される。次に、グリーンシート９４１の表面に導電層９４２、圧電層１６０、導電層９４４を圧膜印刷等の方法で順次形成する。導電層９４２は、後に下部電極１６６となり、導電層９４４は、後に上部電極１６４となる。次に、形成されたグリーンシート９４０、グリーンシート９４１、導電層９４２、圧電層１６０、及び導電層９４４を乾燥して焼成する。スペーサ部材９４７、９４８は、上部電極端子１６８と下部電極端子１７０の高さを底上げして圧電素子より高くする。スペーサ部材９４７、９４８は、グリーンシート９４０、９４１と同材料を印刷、あるいはグリーンシートを積層して形成する。このスペーサ部材９４７，９４８により貴金属である上部電極端子１６８及び下部電極端子１７０の材料が少なくて済む上に、上部電極端子１６８及び下部電極端子１７０の厚みを薄くできるので、上部電極端子１６８及び下部電極端子１７０を精度良く印刷でき、さらに安定した高さとすることができる。
【０１５８】
導電層９４２の形成時に導電層９４４との接続部９４４’及びスペーサ部材９４７及び９４８を同時に形成すると、上部電極端子１６８及び下部電極端子１７０を容易に形成したり、強固に固定することができる。最後に、導電層９４２及び導電層９４４の端部領域に、上部電極端子１６８及び下部電極端子１７０を形成する。上部電極端子１６８及び下部電極端子１７０を形成する際、上部電極端子１６８及び下部電極端子１７０が、圧電層１６０に電気的に接続されるように形成する。
【０１５９】
図２４は、本発明が適用される単色、例えばブラックインク用のインクカートリッジの一実施形態の断面図である。図２４のインクカートリッジは、アクチュエータ１０６を備える。インクを収容する容器１には、記録装置のインク供給針に接合するインク供給口２が設けられている。容器１の底面１ａの外側には、アクチュエータ１０６が容器に設けられた貫通孔１ｃを介して内部のインクと接触できるように取付けられている。インクＫがほぼ消費されつくした段階、つまりインクニアエンドとなった時点で、アクチュエータ１０６の周辺がインクから気体へと変更するべく、アクチュエータ１０６はインク供給口２よりも若干上方の位置に設けられている。なお、アクチュエータ１０６を単に液体を検出する手段として用いても良い。
【０１６０】
容器１内にはさらに多孔質部材１０５０が配備されている。多孔質部材１０５０は、容器１内においてアクチュエータ１０６の付近に配備される。多孔質部材１０５０とアクチュエータ１０６との間には、貫通孔１ｃの深さの分の間隙が設けられている。容器１の内部に多孔質部材１０５０を設けることによって、記録ヘッドの走査と共にインクカートリッジが移動する場合に、容器１内のインクが波打ち、または泡立つことを防止できる。よって、インクの泡がアクチュエータ１０６の周辺に生じにくい。それによって、アクチュエータ１０６に気泡が付着することを防止することができる。従って、アクチュエータ１０６が誤ってインクの有無を検出することを防止することができる。
【０１６１】
また、多孔質部材１０５０とアクチュエータ１０６との間隙の幅は限定しない。インクの泡立ちをできるだけ抑制するためには、多孔質部材１０５０を容器１の下方に設けることによって、インク層１０６０の幅を小さくすることが好ましい。
【０１６２】
さらに、多孔質部材１０５０は、アクチュエータ１０６の付近に配置されることが好ましい。これにより、インクの液面が貫通孔１ｃに達する前に、多孔質部材１０５０が貫通孔１ｃに存在するインクまでをも吸引することのないように、多孔質部材１０５０の孔径を設定する。即ち、多孔質部材１０５０は、多孔質部材１０５０に作用する毛細管力が容器１内のインクを保持できる程度の毛細管力より小さくなるように設計する。それによって、容器１内のインクがインクニアエンドのときには、インクは、インクの自重によって多孔質部材１０５０にはほとんど無く、貫通孔１ｃに存在する。また、容器１には、インクの液面の上方に容器１の外部に通ずる通気孔（図示せず）がある。通気孔によって容器１内に空気が導入され、インクの消費に伴い、インクが自重によってインクの液面の下方向へ下降する。それによって、残存するインクは貫通孔１ｃに溜まる。
【０１６３】
逆に、所定の量のインクが消費されたときに、多孔質部材１０５０が貫通孔１ｃに存在するインクを吸引するように、多孔質部材１０５０の孔径を設定することもできる。即ち、多孔質部材１０５０に作用する毛細管力が容器１内のインクを保持できる程度の毛細管力より等しいか、またはそれより大きくする。それによって、容器１内のインクが所定の量だけ消費されたときには、貫通孔１ｃに存在するインクは、多孔質部材１０５０によって吸引される。さらに、多孔質部材１０５０のうちインク供給口２の近傍の部分の孔径を他の部分の孔径より小さくする。それにより、多孔質部材１０５０のうちインク供給口２の近傍の部分の毛細管力を他の部分の毛細管力より大きくする。それによって、貫通孔１ｃに存在するインクは、多孔質部材１０５０によって吸引され、さらに、多孔質部材１０５０からインク供給口２へ送り込まれる。
【０１６４】
例えば、インクカートリッジ内のインク量が印字不良になる程に少量になったときに、貫通孔１ｃに残存するインクを多孔質部材１０５０が吸引するように多孔質部材１０５０の孔径を設計する。さらに、多孔質部材１０５０が貫通孔１ｃから吸引したインクをインク供給口２へ送り込むように多孔質部材１０５０の孔径を設計する。それによって、所定の量のインクが消費されたときに、インクが無いとの検出をし、印字不良を防止することができる。より詳細には、アクチュエータ１０６の近傍の多孔質部材の孔径を、インク供給口２の周辺の多孔質部材の孔径よりも大きくする。
【０１６５】
図２４においては、容器１の容積の半分以上に多孔質部材１０５０が存在するが、アクチュエータ１０６の付近にのみ比較的小さい多孔質部材もしくはフィルタ部材を配備してもよい（図示せず）。
【０１６６】
図２５（Ａ）は、本実施形態によるインクカートリッジの底部の断面図である。本実施形態のインクカートリッジは、インクを収容する容器１の底面１ａに貫通孔１ｃを有する。貫通孔１ｃの底部はアクチュエータ６５０によって塞がれている。
【０１６７】
図２５（Ｂ）は、図２５（Ａ）に示したアクチュエータ６５０及び貫通孔１ｃの詳細な断面を示す。貫通孔１ｃ内に多孔質部材１０５０が配備されている。
【０１６８】
図２５（Ｃ）は、図２５（Ｂ）に示したアクチュエータ６５０及び貫通孔１ｃの平面を示す。アクチュエータ６５０は振動板７２および振動板７２に固定された圧電素子７３とを有する。振動板７２及び基板７１を介して圧電素子７３が貫通孔１ｃに対向するように、アクチュエータ６５０は、容器１の底面に固定される。振動板７２は、弾性変形可能で耐インク性を備える。
【０１６９】
本実施例に従ったインクカートリッジは、貫通孔１ｃ内に多孔質部材１０５０が配備されている。それによって、多孔質部材１０５０は、アクチュエータ６５０の振動領域に接触するように配備されている。多孔質部材１０５０ａがアクチュエータ６５０の振動領域に接触するように配備されることによって、インクが貫通孔１ｃに残留しない。例えば、貫通孔１ｃ内の多孔質部材１０５０ａの孔径よりも、貫通孔１ｃの周辺にある多孔質部材１０５０ｂの孔径を小さくする。それによって、貫通孔１ｃ内の多孔質部材１０５０ａの毛細管力よりも、貫通孔１ｃの周辺にある多孔質部材１０５０ｂの毛細管力のほうが強くなる。従って、インクカートリッジ内のインクが消費されたとき、貫通孔１ｃ内の多孔質部材１０５０ａに含まれているインクが、貫通孔１ｃの周辺にある多孔質部材１０５０ｂに吸引される。よって、貫通孔１ｃにインクが残存しない。従って、アクチュエータ６５０がインクカートリッジ内のインクの消費状態を正確に検出することの信頼性を高めることができる。
【０１７０】
図２６は、図２の実施例とは異なる複数種類のインクを収容するインクカートリッジの実施形態を裏側から見た斜視図である。容器８は、隔壁により３つのインク室９、１０及び１１に分割される。それぞれのインク室には、インク供給口１２、１３及び１４が形成されている。それぞれのインク室９、１０及び１１の底面８ａには、アクチュエータ１５、１６および１７が、容器８を介して各インク室内に収容されているインクに接触できるように取付けられている。本実施例においても、インク室９、１０及び１１のそれぞれに多孔質部材（図示せず）が配備される。
【０１７１】
図２７は、図２４及び図２６に示したインクカートリッジに適したインクジェット記録装置の要部の実施形態を示す断面図である。記録用紙の幅方向に往復動可能なキャリッジ３０は、サブタンクユニット３３を備えている。記録ヘッド３１はサブタンクユニット３３の下面に設けられている。また、インク供給針３２はサブタンクユニット３３のインクカートリッジ搭載面側に設けられている。記録装置の動作期間中には、あらかじめ設定された検出のタイミング、例えば、一定周期でアクチュエータ１０６に駆動信号が供給される。
【０１７２】
アクチュエータ１０６を直接容器１に配備することにより、射出成形工程が簡素化され、電極埋めこみ領域からの液漏れがなくなり、インクカートリッジの信頼性が向上できる。
【０１７３】
図２８は、サブタンクユニットの他の実施形態の断面図である。図２８では、サブタンクユニット３３内にアクチュエータ１０６および多孔質部材１０５０を配備している。図２７の実施例では、インクカートリッジの容器１内にアクチュエータ１０６および多孔質部材１０５０を配備している。しかし、図２８に示すように、サブタンクユニット３３内にアクチュエータ１０６および多孔質部材１０５０を配備してもよい。さらに、インクカートリッジの容器１内およびサブタンクユニット３３内の両者にアクチュエータ１０６および多孔質部材１０５０を配備してもよい。
【０１７４】
図２８の実施例によれば、アクチュエータ１０６は、サブタンクユニット３３内のインクの量またはインクの有無を検出することができる。また、多孔質部材１０５０が、サブタンクユニット３３内のインクの波打ちや泡立ちを防止することができる。従って、アクチュエータ１０６がサブタンクユニット３３内のインクの量やインクの有無を誤って検出することがない。また、アクチュエータ１０６がサブタンクユニット３３内に配備されているので、インクカートリッジ内のインクを使い切ることができる。
【０１７５】
インクカートリッジの容器１内およびサブタンクユニット３３内の両方にアクチュエータ１０６および多孔質部材１０５０を配備し場合には、アクチュエータ１０６は、よりインクの消費状態を正確に検出できる。また、インクカートリッジの容器１内のインクのインクエンドを正確に検出した時点で、さらに印字を続行するか否かの判断をすることができる。
【０１７６】
図２９及び図３０は、それぞれ本発明のインクカートリッジの更に他の実施例を示す。図２９に示した実施例においては、上下方向に斜めに形成された底面１ａに、アクチュエータ１０６が装着される。また、図３０に示した実施例においては、垂直方向に長く延びるアクチュエータ１０６が、側壁１ｂの底面近傍に設けられている。
【０１７７】
図２９及び図３０の実施例によれば、インクが消費され、アクチュエータ１０６の一部が液面から露出するようになると、アクチュエータ１０６の残留振動が連続的に変化する。したがって、アクチュエータ１０６が音響インピーダンスの変化を検知することによってインクの消費量を正確に検出することができる。例えば、インクの液面が図２９のΔｈ１または図３０のΔｈ２の範囲内に存在する場合に、アクチュエータ１０６はインクの液面を検知することができる。
【０１７８】
本実施例においては、容器１内には、多孔質部材１０５０が配備されている。多孔質部材１０５０は、容器１内のインクの波打ちや泡立ちを防止する。それによって、アクチュエータ１０６が誤ってインクの量を検出することを防止することができる。
【０１７９】
図２９の実施例では、多孔質部材１０５０は、アクチュエータ１０６の付近に配備される。本実施例の場合は、多孔質部材１０５０は貫通孔１ｃ内には配備されていない。このため、アクチュエータ１０６の振動領域は、インクの消費に伴ってインクから空気に曝される。それによって、アクチュエータ１０６の振動領域における振動状態が連続的に変化する。この変化を検出することによってインクの消費量を正確に検出することができる。
【０１８０】
インクの波打ちや泡立ちをできるだけ抑制するためには、多孔質部材１０５０とアクチュエータ１０６との間には間隙があることは好ましくない。一方で、多孔質部材１０５０とアクチュエータ１０６の振動領域とが、アクチュエータ１０６の振動部が振動できない程に密着することもことも好ましくない。よって、多孔質部材１０５０は、アクチュエータ１０６の振動領域の付近に配備することが好ましい。ただし、図２５の実施例のように、多孔質部材１０５０とアクチュエータ１０６の振動領域とが接触しても、アクチュエータ１０６の振動部が振動でき、インクの有無やインク量を検出できれば差し支えない。
【０１８１】
また、図３０の実施例では、多孔質部材（図示せず）の一側面は側壁１ｂに配備されるアクチュエータ１０６と平行になるように配備されている。多孔質部材の一側面とアクチュエータ１０６との間には間隙がある。本実施例の場合、容器１内にインクが満たされ、多孔質部材の一側面とアクチュエータ１０６との間隙にインクが満たされている場合には、アクチュエータ１０６はインクのみを検知する。一方で、容器１内のインクが消費され、多孔質部材の一側面とアクチュエータ１０６との間隙に空隙が生じるに伴いアクチュエータ１０６はインクおよび気体を検知する。従って、アクチュエータ１０６は、インクの液面がアクチュエータ１０６の長さΔｈ２の範囲内にあるときのインクの消費状態を検出することができる。尚、アクチュエータ１０６の長さは限定しない。
【０１８２】
図３１は、本発明のインクカートリッジのさらに他の実施例を示す。上下方向に斜めに形成された底面１ａに、上下方向に間隔を設けて、複数のアクチュエータ１０６ａ、１０６ｂ及び１０６ｃが、容器１に設けられている。容器１の内部には、多孔質部材１０５０が設けられている。容器１の内部に多孔質部材１０５０を設ける。それによって、図２９と同様に、アクチュエータ１０６ａ、１０６ｂ及び１０６ｃが誤ってインクの消費状態を検出することを防止することができる。
【０１８３】
本実施例によれば、複数のアクチュエータ１０６ａ、１０６ｂ及び１０６ｃのそれぞれの位置にインクが存在するか否かにより、それぞれのアクチュエータ１０６ａ、１０６ｂ及び１０６ｃの装着位置のレベルにおける、それぞれのアクチュエータ１０６ａ、１０６ｂ及び１０６ｃの残留振動の振幅および共振周波数が異なる。したがって、各アクチュエータ１０６ａ、１０６ｂ及び１０６ｃの残留振動による逆起電力を測定することにより、それぞれのアクチュエータ１０６ａ、１０６ｂ及び１０６ｃの装着位置のレベルにおけるインクの有無を検出することができる。したがって、インク残量を段階的に検出することができる。例えば、インク液面がアクチュエータ１０６ｂとアクチュエータ１０６ｃとの間のレベルであるとき、アクチュエータ１０６ａはインク無しを検出し、一方アクチュエータ１０６ｂ及び１０６ｃはインク有りと検出する。これらの結果を総合評価することで、インク液面がアクチュエータ１０６ｂとアクチュエータ１０６ｃとの間に位置していることが分かる。
【０１８４】
図３２は、本発明のインクカートリッジの更に他の実施形態を示す。図３２（Ａ）に示したインクカートリッジは、容器１の内部に設けられた貫通孔１ｃに少なくとも一部が対向するように多孔質部材７４及び７５が、配置されている。アクチュエータ１０６は、貫通孔１ｃに対向するように容器１の底面１ａに固定される。図３２（Ｂ）に示したインクカートリッジは、貫通孔１ｃに連通して形成された溝１ｈに対向させて多孔質部材７５が、配置されている。
【０１８５】
尚、図３２（Ａ）および図３２（Ｂ）の本実施例によれば、インク吸収体７４及び７５に作用する毛細管力が容器１内のインクを保持できる程度の毛細管力と等しいか、またはより大きくなるように設計する。それによって、多孔質部材からなるインク吸収体７４及び７５は、貫通孔１ｃに残存しているインクを吸収する。
【０１８６】
容器１内のインクが消費されて多孔質部材７４及び７５がインクから露出すると、多孔質部材７４及び７５のインクが自重により流れ出して記録ヘッド３１にインクを供給する。インクが消費され尽くすと、多孔質部材７４及び７５は、貫通孔１ｃに残存しているインクを吸い上げるので、貫通孔１ｃの凹部からインクが排出される。そのため、インクエンド時においてアクチュエータ１０６の振動部に残留する振動が変化するので、インクエンドを更に確実に検出することができる。
【０１８７】
また、図３２（Ｂ）において、溝１ｈには、毛細管力が作用する。溝１ｈに毛細管力が作用することによって、溝１ｈが貫通孔１ｃに残留するインクを吸引する。
【０１８８】
さらに、溝１ｈに作用する毛細管力は、多孔質部材１０５０に作用する毛細管力より小さい。それによって、溝１ｈに吸引された貫通孔１ｃに残留していたインクをさらに、多孔質部材１０５０が吸引する。多孔質部材１０５０が吸引したインクは、その自重によりインク供給口から記録ヘッドへ供給される。
【０１８９】
図３３は貫通孔１ｃの他の実施形態を示す。図３３（Ａ）、（Ｂ）、及び（Ｃ）のそれぞれにおいて、左側の図は、貫通孔１ｃにインクＫが無い状態を示し、右側の図は、貫通孔１ｃにインクＫが残った状態を示す。図３３（Ａ）においては、貫通孔１ｃは、側面１ｄが上下方向に斜めであり外側に拡大して開いている。図３３（Ｂ）においては、段差部１ｅ及び１ｆが、貫通孔１ｃの側面に形成されている。上方にある段差部１ｆが、下方にある段差部１ｅより広くなっている。図３３（Ｃ）においては、貫通孔１ｃは、インクＫを排出しやすい方向、すなわちインク供給口２の方向へ延びる溝１ｇを有する。
【０１９０】
図３３(Ａ)〜（Ｃ）に示した貫通孔１ｃの形状によれば、インク溜部のインクＫの量を少なくできる。従って、図１６および図１７で説明したＭ’ｃａｖをＭ’ｍａｘと比較して小さくすることができるので、インクエンド時におけるアクチュエータ６５０の振動特性を、容器１に印刷可能な量のインクＫが残存している場合と大きく異ならせることができるので、インクエンドをより確実に検出することができる。
【０１９１】
また、本実施例によるインクカートリッジにおいて、図３３(Ａ)、図３３(Ｂ)および図３３(Ｃ)の貫通孔１ｃの付近に多孔質部材（図３３では図示せず）が備えられる。貫通孔１ｃが側面１ｄ、段差部１ｅ、１ｆまたは溝１ｇを有することによって、多孔質部材が貫通孔１ｃ内のインクを吸収し易くなる。
【０１９２】
図３４はアクチュエータの他の実施形態を示す斜視図である。アクチュエータ６６０は、アクチュエータ６６０を構成する基板または取付プレート７８の貫通孔１ｃよりも外側にパッキン７６を有する。アクチュエータ６６０の外周にはカシメ孔７７が形成されている。アクチュエータ６６０は、カシメ孔７７を介してカシメにより容器１に固定される。
【０１９３】
図３５（Ａ）、（Ｂ）は、アクチュエータの更に他の実施形態を示す斜視図である。本実施形態においては、アクチュエータ６７０は、凹部形成基板８０および圧電素子８２を備える。凹部形成基板８０の一方の面には凹部８１がエッチング等の手法により形成され、他方の面には圧電素子８２が取り付けられる。凹部形成基板８０のうち、凹部８１の底部が振動領域として作用する。従って、アクチュエータ６７０の振動領域は凹部８１の周縁によって規定される。また、アクチュエータ６７０は、図１６の実施例によるアクチュエータ１０６のうち、基板１７８および振動板１７６が一体として形成された構造と類似する。従って、インクカートリッジを製造する際に製造工程を短縮することができ、コストを低減させる。アクチュエータ６７０は、容器１に設けられた貫通孔１ｃに埋め込み可能なサイズである。それによって、凹部８１がキャビティとしても作用することができる。尚、図１６の実施例によるアクチュエータ１０６を、図３５の実施例によるアクチュエータ６７０と同様に貫通孔１ｃに埋め込み可能なように形成してもよい。さらに、アクチュエータ６７０の付近には、多孔質部材１０５０が配備される。
【０１９４】
図３６は、アクチュエータ１０６を取り付けモジュール体１００として一体形成した構成を示す斜視図である。モジュール体１００はインクカートリッジの容器１の所定個所に装着される。モジュール体１００は、インク液中の少なくとも音響インピーダンスの変化を検出することにより、容器1内の液体の消費状態を検知するように構成されている。本実施形態のモジュール体１００は、容器１にアクチュエータ１０６を取り付けるための液体容器取付部１０１を有する。液体容器取付部１０１は、平面がほぼ矩形の基台１０２上に駆動信号により発振するアクチュエータ１０６を収容した円柱部１１６を載せた構造になっている。モジュール体１００が、インクカートリッジに装着されたときに、モジュール体１００のアクチュエータ１０６が外部から接触できないように構成されているので、アクチュエータ１０６を外部の接触から保護することができる。なお、円柱部１１６の先端側エッジは丸みが付けられていて、インクカートリッジに形成された孔へ装着する際に嵌めやすくなっている。
【０１９５】
図３７は、図３６に示したモジュール体１００の構成を示す分解図である。モジュール体１００は、樹脂からなる液体容器取付部１０１と、プレート１１０および凹部１１３を有する圧電装置装着部１０５とを含む。さらに、モジュール体１００は、リードワイヤ１０４ａ及び１０４ｂ、アクチュエータ１０６、およびフィルム１０８を有する。好ましくは、プレート１１０は、ステンレス又はステンレス合金等の錆びにくい材料から形成される。液体容器取付部１０１に含まれる円柱部１１６および基台１０２は、リードワイヤ１０４ａ及び１０４ｂを収容できるよう中心部に開口部１１４が形成され、アクチュエータ１０６、フィルム１０８、及びプレート１１０を収容できるように凹部１１３が形成される。アクチュエータ１０６はプレート１１０にフィルム１０８を介して接合され、プレート１１０およびアクチュエータ１０６は液体容器取付部１０１に固定される。従って、リードワイヤ１０４ａ及び１０４ｂ、アクチュエータ１０６、フィルム１０８およびプレート１１０は、液体容器取付部１０１に一体として取り付けられる。リードワイヤ１０４ａ及び１０４ｂは、それぞれアクチュエータ１０６の上部電極及び下部電極と結合して圧電層に駆動信号を伝達し、一方、アクチュエータ１０６が検出した共振周波数の信号を記録装置等へ伝達する。アクチュエータ１０６は、リードワイヤ１０４ａ及び１０４ｂから伝達された駆動信号に基づいて一時的に発振する。アクチュエータ１０６は発振後に残留振動し、その振動によって逆起電力を発生させる。このとき、逆起電力波形の振動周期を検出することによって、液体容器内の液体の消費状態に対応した共振周波数を検出することができる。フィルム１０８は、アクチュエータ１０６とプレート１１０とを接着してアクチュエータを液密にする。フィルム１０８は、ポリオレフィン等によって形成し、熱融着で接着することが好ましい。
【０１９６】
プレート１１０は円形状であり、基台１０２の開口部１１４は円筒状に形成されている。アクチュエータ１０６及びフィルム１０８は矩形状に形成されている。リードワイヤ１０４、アクチュエータ１０６、フィルム１０８、及びプレート１１０は、基台１０２に対して着脱可能としてもよい。基台１０２、リードワイヤ１０４、アクチュエータ１０６、フィルム１０８、及びプレート１１０は、モジュール体１００の中心軸に対して対称に配置されている。更に、基台１０２、アクチュエータ１０６、フィルム１０８、及びプレート１１０の中心は、モジュール体１００のほぼ中心軸上に配置されている。
【０１９７】
基台１０２の開口部１１４の面積は、アクチュエータ１０６の振動領域の面積よりも大きく形成されている。プレート１１０の中心でアクチュエータ１０６の振動部に直面する位置には、貫通孔１１２が形成されている。図１６および図１７に示したようにアクチュエータ１０６にはキャビティ１６２が形成され、貫通孔１１２とキャビティ１６２は、共にインク溜部を形成する。プレート１１０の厚さは、残留インクの影響を少なくするために貫通孔１１２の径に比べて小さいことが好ましい。例えば貫通孔１１２の深さはその径の３分の１以下の大きさであることが好ましい。貫通孔１１２は、モジュール体１００の中心軸に対して対称なほぼ真円の形状である。また貫通孔１１２の面積は、アクチュエータ１０６のキャビティ１６２の開口面積よりも大きい。貫通孔１１２の断面の周縁はテ-パ形状であっても良いしステップ形状でもよい。モジュール体１００は、貫通孔１１２が容器１の内側へ向くように容器１の側部、上部、又は底部に装着される。インクが消費されアクチュエータ１０６周辺のインクがなくなると、アクチュエータ１０６の共振周波数が大きく変化するので、インクの水位変化を検出することができる。
【０１９８】
図３８は、モジュール体の他の実施形態を示す斜視図である。本実施形態のモジュール体４００は、液体容器取付部４０１に圧電装置装着部４０５が形成されている。液体容器取付部４０１は、平面がほぼ角丸の正方形上の基台４０２上に円柱状の円柱部４０３が形成されている。更に、圧電装置装着部４０５は、円柱部４０３上に立てられた板状要素４０６および凹部４１３を含む。板状要素４０６の側面に設けられた凹部４１３には、アクチュエータ１０６が配置される。なお、板状要素４０６の先端は所定角度に面取りされていて、インクカートリッジに形成された孔へ装着する際に嵌めやすくなっている。
【０１９９】
図３９は、図３８に示したモジュール体４００の構成を示す分解斜視図である。図３６に示したモジュール体１００と同様に、モジュール体４００は、液体容器取付部４０１および圧電装置装着部４０５を含む。液体容器取付部４０１は基台４０２および円柱部４０３を有し、圧電装置装着部４０５は板状要素４０６および凹部４１３を有する。アクチュエータ１０６は、プレート４１０に接合されて凹部４１３に固定される。モジュール体４００は、リードワイヤ４０４ａ及び４０４ｂ、アクチュエータ１０６、及びフィルム４０８をさらに有する。
【０２００】
本実施形態によれば、プレート４１０は矩形状であり、板状要素４０６に設けられた開口部４１４は矩形状に形成されている。リードワイヤ４０４ａ及び４０４ｂ、アクチュエータ１０６、フィルム４０８、及びプレート４１０は基台４０２に対して着脱可能として構成しても良い。アクチュエータ１０６、フィルム４０８、及びプレート４１０は、開口部４１４の中心を通り、開口部４１４の平面に対して鉛直方向に延びる中心軸に対して対称に配置されている。更に、アクチュエータ４０６、フィルム４０８、及びプレート４１０の中心は、開口部４１４のほぼ中心軸上に配置されている。
【０２０１】
プレート４１０の中心に設けられた貫通孔４１２の面積は、アクチュエータ１０６のキャビティ１６２の開口の面積よりも大きく形成されている。アクチュエータ１０６のキャビティ１６２と貫通孔４１２とは、共にインク溜部を形成する。プレート４１０の厚さは貫通孔４１２の径に比べて小さく、例えば貫通孔４１２の径の３分の１以下の大きさに設定することが好ましい。貫通孔４１２は、モジュール体４００の中心軸に対して対称なほぼ真円の形状である。貫通孔４１２の断面の周縁はテ-パ形状であっても良いしステップ形状でもよい。モジュール体４００は、貫通孔４１２が容器１の内部に配置されるように容器１の底部に装着することができる。アクチュエータ１０６が垂直方向に延びるように容器１内に配置されるので、基台４０２の高さを変えてアクチュエータ１０６が容器１内に配置される高さを変えることによりインクエンドの時点の設定を容易に変えることができる。
【０２０２】
図４０は、モジュール体の更に他の実施形態を示す。図３６に示したモジュール体１００と同様に、図４０のモジュール体５００は、基台５０２および円柱部５０３を有する液体容器取付部５０１を含む。また、モジュール体５００は、リードワイヤ５０４ａ及び５０４ｂ、アクチュエータ１０６、フィルム５０８、及びプレート５１０をさらに有する。液体容器取付部５０１に含まれる基台５０２は、リードワイヤ５０４ａ及び５０４ｂを収容できるよう中心部に開口部５１４が形成され、アクチュエータ１０６、フィルム５０８、及びプレート５１０を収容できるように凹部５１３が形成される。アクチュエータ１０６はプレート５１０を介して圧電装置装着部５０５に固定される。従って、リードワイヤ５０４ａ及び５０４ｂ、アクチュエータ１０６、フィルム５０８およびプレート５１０は、液体容器取付部５０１に一体として取り付けられる。本実施形態のモジュール体５００は、平面がほぼ角丸の正方形上の基台上に上面が上下方向に斜めな円柱部５０３が形成されている。円柱部５０３の上面の上下方向に斜めに設けられた凹部５１３上にアクチュエータ１０６が配置されている。
【０２０３】
モジュール体５００の先端は傾斜しており、その傾斜面にアクチュエータ１０６が装着されている。そのため、モジュール体５００が容器１の底部又は側部に装着されると、アクチュエータ１０６が容器１の上下方向に対して傾斜する。モジュール体５００の先端の傾斜角度は、検出性能を鑑みてほぼ３０°から６０°の間とすることが望ましい。
【０２０４】
モジュール体５００は、アクチュエータ１０６が容器１内に配置されるように容器１の底部又は側部に装着される。モジュール体５００が容器１の側部に装着される場合には、アクチュエータ１０６が、傾斜しつつ、容器１の上側、下側、又は横側を向くように容器１に取り付けられる。一方、モジュール体５００が、容器１の底部に装着される場合には、アクチュエータ１０６が、傾斜しつつ、容器１のインク供給口側を向くように容器１に取り付けられることが好ましい。
【０２０５】
図４１は、図３６に示したモジュール体１００を容器１に装着したときのインク容器の底部近傍の断面図である。モジュール体１００は、容器１の側壁を貫通するように装着されている。容器１の側壁とモジュール体１００との接合面には、Ｏリング３６５が設けられ、モジュール体１００と容器１との液密を保っている。Ｏリングでシールが出来るようにモジュール体１００は図３６で説明したような円柱部を備えることが好ましい。モジュール体１００の先端が容器１の内部に挿入されることで、プレート１１０の貫通孔１１２を介して容器１内のインクがアクチュエータ１０６と接触する。アクチュエータ１０６の振動部の周囲が液体か気体かによってアクチュエータ１０６の残留振動の共振周波数が異なるので、モジュール体１００を用いてインクの消費状態を検出することができる。また、モジュール体１００に限らず、図３８に示したモジュール体４００、図４０に示したモジュール体５００、又は図４２に示したモジュール体７００Ａ及び７００Ｂ、及びモールド構造体６００を容器１に装着してインクの有無を検出してもよい。
【０２０６】
図４２（Ａ）はモジュール体７００Ｂを容器１に装着したときのインク容器の断面図を示す。本実施例では取付構造体の１つとしてモジュール体７００Ｂを使用する。モジュール体７００Ｂは、液体容器取付部３６０が容器１の内部に突出するようにして容器１に装着されている。取付プレート３５０には貫通孔３７０が形成され、貫通孔３７０とアクチュエータ１０６の振動部が面している。更に、モジュール体７００Ｂの底壁には孔３８２が形成され、圧電装置装着部３６３が形成される。アクチュエータ１０６が孔３８２の一方を塞ぐようにして配備される。したがって、インクは、圧電装置装着部３６３の孔３８２及び取付プレート３５０の貫通孔３７０を介して振動板１７６と接触する。圧電装置装着部３６３の孔３８２及び取付プレート３５０の貫通孔３７０は、共にインク溜部を形成する。圧電装置装着部３６３とアクチュエータ１０６とは、取付プレート３５０及びフィルム部材によって固定されている。液体容器取付部３６０と容器１との接続部にはシーリング構造３７２が設けられている。シーリング構造３７２は合成樹脂等の可塑性の材料により形成されてもよいし、Ｏリングにより形成されてもよい。図４２（Ａ）のモジュール体７００Ｂと容器１とは別体であるが、図４２（Ｂ）ようにモジュール体７００Ｂの圧電装置装着部を容器１の一部で構成してもよい。
【０２０７】
図４２（Ａ）のモジュール体７００Ｂは、図３６から図４０に示したリードワイヤのモジュール体への埋め込みが不要となる。そのため成形工程が簡素化される。更に、モジュール体７００Ｂの交換が可能となりリサイクルが可能となる。
【０２０８】
インクカートリッジが揺れる際にインクが容器１の上面あるいは側面に付着し、容器１の上面あるいは側面から垂れてきたインクがアクチュエータ１０６に接触することでアクチュエータ１０６が誤作動する可能性がある。しかし、モジュール体７００Ｂは液体容器取付部３６０が容器１の内部に突出しているので、容器１の上面や側面から垂れてきたインクによりアクチュエータ１０６が誤作動しない。
【０２０９】
また、図４２（Ａ）の実施例では、振動板１７６と取付プレート３５０の一部のみが、容器１内のインクと接触するように容器１に装着される。図４２（Ａ）の実施例では、図３６から図４０に示したリードワイヤ１０４ａ、１０４ｂ、４０４ａ、４０４ｂ、５０４ａ、及び５０４ｂの電極のモジュール体への埋め込みが不要となる。そのため成形工程が簡素化される。更に、アクチュエータ１０６の交換が可能となりリサイクルが可能となる。
【０２１０】
図４２（Ｂ）は、アクチュエータ１０６を容器１に装着したときの実施例としてインク容器の断面図を示す。図４２（Ｂ）の実施例によるインクカートリッジでは、保護部材３６１はアクチュエータ１０６とは別体として容器１に取り付けられている。従って、保護部材３６１とアクチュエータ１０６とはモジュールとして一体となっていないが、一方で、保護部材３６１はアクチュエータ１０６にユーザーの手が触れないように保護することができる。アクチュエータ１０６の前面に設けられる孔３８０は、容器１の側壁に配設されている。アクチュエータ１０６は、圧電層１６０、上部電極１６４、下部電極１６６、振動板１７６及び取付プレート３５０を含む。取付プレート３５０の上面に振動板１７６が形成され、振動板１７６の上面に下部電極１６６が形成されている。下部電極１６６の上面には圧電層１６０が形成され、圧電層１６０の上面に上部電極１６４が形成されている。したがって、圧電層１６０の主要部は、上部電極１６４の主要部及び下部電極１６６の主要部によって上下から挟まれるように形成されている。圧電層１６０、上部電極１６４、及び下部電極１６６のそれぞれの主要部である円形部分は、圧電素子を形成する。圧電素子は振動板１７６上に形成される。圧電素子及び振動板１７６の振動領域はアクチュエータが実際に振動する振動部である。取付プレート３５０には貫通孔３７０が設けられている。更に、容器１の側壁には孔３８０が形成されている。したがって、インクは、容器１の孔３８０及び取付プレート３５０の貫通孔３７０を介して振動板１７６と接触する。容器１の孔３８０及び取付プレート３５０の貫通孔３７０は、共にインク溜部を形成する。また、図４２（Ｂ）の実施例では、アクチュエータ１０６は保護部材３６１により保護されているのでアクチュエータ１０６を外部との接触から保護できる。
【０２１１】
尚、図４２（Ａ）および（Ｂ）の実施例における取付プレート３５０に代えて、図１６の基板１７８を使用してもよい。
【０２１２】
図４２（Ｃ）はアクチュエータ１０６を含むモールド構造体６００を備える実施形態を示す。本実施例では、取付構造体の１つとしてモールド構造体６００を使用する。モールド構造体６００はアクチュエータ１０６とモールド部３６４とを有する。アクチュエータ１０６とモールド部３６４とは一体に成形されている。モールド部３６４はシリコン樹脂等の可塑性の材料によって成形される。モールド部３６４は内部にリードワイヤ３６２を有する。モールド部３６４はアクチュエータ１０６から延びる２本の足を有するように形成されている。モールド部３６４はモールド部３６４と容器１とを液密に固定するために、モールド部３６４の２本の足の端が半球状に形成される。モールド部３６４はアクチュエータ１０６が容器１の内部に突出するよう容器１に装着され、アクチュエータ１０６の振動部は容器１内のインクと接触する。モールド部３６４によって、アクチュエータ１０６の上部電極１６４、圧電層１６０、及び下部電極１６６はインクから保護されている。
【０２１３】
図４２（Ｃ）のモールド構造体６００は、モールド部３６４と容器１との間にシーリング構造３７２が必要ないので、インクが容器１から漏れにくい。また、容器１の外部からモールド構造体６００が突出しない形態であるので、アクチュエータ１０６を外部との接触から保護することができる。インクカートリッジが揺れる際に、インクが容器１の上面あるいは側面に付き、容器１の上面あるいは側面から垂れてきたインクが、アクチュエータ１０６に接触することで、アクチュエータ１０６が、誤作動する可能性がある。モールド構造体６００は、モールド部３６４が、容器１の内部に突出しているので、容器１の上面や側面から垂れてきたインクにより、アクチュエータ１０６が誤作動しない。
【０２１４】
さらに、アクチュエータ１０６の付近には、多孔質部材（図示せず）が配備される。それによって、インクの波打ちや泡立ちを抑制する。従って、インクカートリッジが揺れる際に、インクが容器１の上面あるいは側面に付着することを防止する。
【０２１５】
図４３は、図１６に示したアクチュエータ１０６を用いたインクカートリッジ及びインクジェット記録装置の実施形態を示す。複数のインクカートリッジ１８０は、それぞれのインクカートリッジ１８０に対応した複数のインク導入部１８２及びホルダー１８４を有するインクジェット記録装置に装着される。複数のインクカートリッジ１８０は、それぞれ異なった種類、例えば色のインクを収容する。複数のインクカートリッジ１８０のそれぞれの底面には、少なくとも音響インピーダンスを検出する手段であるアクチュエータ１０６が装着されている。アクチュエータ１０６をインクカートリッジ１８０に装着することによって、インクカートリッジ１８０内のインク残量を検出することができる。アクチュエータ１０６の付近には、多孔質部材（図示せず）が配備される。それによって、インクの波打ちや泡立ちを抑制する。
【０２１６】
図４４は、インクジェット記録装置のヘッド部周辺の詳細を示す。インクジェット記録装置は、インク導入部１８２、ホルダー１８４、ヘッドプレート１８６、及びノズルプレート１８８を有する。インクを噴射するノズル１９０がノズルプレート１８８に複数形成されている。インク導入部１８２は空気供給口１８１とインク導入口１８３とを有する。空気供給口１８１はインクカートリッジ１８０に空気を供給する。インク導入口１８３はインクカートリッジ１８０からインクを導入する。インクカートリッジ１８０は空気導入口１８５とインク供給口１８７とを有する。空気導入口１８５はインク導入部１８２の空気供給口１８１から空気を導入する。インク供給口１８７はインク導入部１８２のインク導入口１８３にインクを供給する。インクカートリッジ１８０がインク導入部１８２から空気を導入することによって、インクカートリッジ１８０からインク導入部１８２へのインクの供給を促す。ホルダー１８４は、インクカートリッジ１８０からインク導入部１８２を介して供給されたインクをヘッドプレート１８６に連通する。
【０２１７】
図４５は、図４４に示したインクカートリッジ１８０の他の実施形態を示す。図４５のインクカートリッジ１８０Ｂのアクチュエータ１０６は、インク容器１９４の供給口の側壁上に装着されている。インク供給口１８７の近傍であれば、アクチュエータ１０６は、インク容器１９４の側壁又は底面に装着されてもよい。また、アクチュエータ１０６はインク容器１９４の幅方向の中心に装着されることが好ましい。インクは、インク供給口１８７を通過して外部に供給されるので、アクチュエータ１０６をインク供給口１８７の近傍に設けることにより、インクニアエンド時点までインクとアクチュエータ１０６とが確実に接触する。したがって、アクチュエータ１０６はインクニアエンドの時点を確実に検出することができる。尚、アクチュエータ１０６の付近に多孔質部材１０５０を配備する。それによって、インクの波打ちや泡立ちを抑制し、アクチュエータ１０６がインクの消費状態を誤って検知することを防止する。
【０２１８】
更に、アクチュエータ１０６をインク供給口１８７の近傍に設けることで、インク容器をキャリッジ上のカートリッジホルダに装着する際に、インク容器上のアクチュエータ１０６とキャリッジ上の接点との位置決めが確実となる。その理由は、インク容器とキャリッジとの連結において最も重要なのは、インク供給口と供給針との確実な結合である。少しでもずれがあると供給針の先端を痛めてしまったりあるいはＯリングなどのシーリング構造にダメージを与えてしまいインクが漏れ出してしまうからである。このような問題点を防ぐために、通常インクジェットプリンタはインク容器をキャリッジにマウントする時に正確な位置合わせができるような特別な構造を有している。よって供給口近傍にアクチュエータを配置させることにより、アクチュエータの位置合わせも同時に確実なものとなるのである。さらに、アクチュエータ１０６をインク容器１９４の幅方向の中心に装着することで、より確実に位置合わせすることができる。インク容器が、ホルダへの装着時に幅方向中心線を中心として軸揺動した場合に、もっともその揺れが少ないからである。
【０２１９】
図４６はインクカートリッジ１８０の更に他の実施形態を示す。図４６（Ａ）はインクカートリッジ１８０Ｃの断面図、図４６（Ｂ）は図４６（Ａ）に示したインクカートリッジ１８０Ｃの側壁１９４ｂを拡大した断面図、及び図４６（Ｃ）はその正面図からの透視図である。インクカートリッジ１８０Ｃは、半導体記憶手段７とアクチュエータ１０６とが同一の回路基板６１０上に形成されている。図４６（Ｂ）、（Ｃ）に示すように、半導体記憶手段７は回路基板６１０の上方に形成され、アクチュエータ１０６は同一の回路基板６１０において半導体記憶手段７の下方に形成されている。アクチュエータ１０６の周囲を囲むように異型Ｏリング６１４が、側壁１９４ｂに装着される。側壁１９４ｂには、回路基板６１０をインク容器１９４に接合するためのカシメ部６１６が複数形成されている。カシメ部６１６によって回路基板６１０をインク容器１９４に接合し、異型Ｏリング６１４を回路基板６１０に押しつけることで、アクチュエータ１０６の振動領域がインクと接触することをできるようにしつつ、インクカートリッジの外部と内部とを液密に保つ。
【０２２０】
半導体記憶手段７及び半導体記憶手段７付近には端子６１２が形成されている。端子６１２は半導体記憶手段７とインクジェット記憶装置等の外部との間の信号の受け渡しをする。半導体記憶手段７は、例えばＥＥＰＲＯＭなどの書き換え可能な半導体メモリによって構成されてもよい。半導体記憶手段７とアクチュエータ１０６とが同一の回路基板６１０上に形成さているので、アクチュエータ１０６及び半導体記憶手段７をインクカートリッジ１８０Ｃに取付ける際に１回の取付け工程で済む。また、インクカートリッジ１８０Ｃの製造時及びリサイクル時の作業工程が簡素化される。更に、部品の点数が削減されるので、インクカートリッジ１８０Ｃの製造コストが低減できる。
【０２２１】
さらに、アクチュエータ１０６の付近には、多孔質部材１０５０が配備される。それによって、インクの波打ちや泡立ちを抑制し、アクチュエータ１０６がインクの消費状態を誤って検知することを防止する。
【０２２２】
アクチュエータ１０６は、インク容器１９４内のインクの消費状態を検知する。半導体記憶手段７はアクチュエータ１０６が検出したインク残量などインクの情報を格納する。すなわち、半導体記憶手段７は検出する際に用いられるインク及びインクカートリッジの特性等の特性パラメータに関する情報を格納する。半導体記憶手段７は、予めインク容器１９４内のインクがフルのとき、すなわちインクがインク容器１９４内に満たされたとき、又はエンドのとき、すなわちインク容器１９４内のインクが消費されたときの共振周波数を特性パラメータの一つとして格納する。インク容器１９４内のインクがフル又はエンド状態の共振周波数は、インク容器が初めてインクジェット記録装置に装着されたときに格納されてもよい。また、インク容器１９４内のインクがフル又はエンド状態の共振周波数は、インク容器１９４の製造中に格納されてもよい。半導体記憶手段７に予めインク容器１９４内のインクがフル又はエンドのときの共振周波数を格納し、インクジェット記録装置側で共振周波数のデータを読出すことによりインク残量を検出する際のばらつきを補正できるので、インク残量が基準値まで減少したことを正確に検出することができる。
【０２２３】
図４７は、インクカートリッジ１８０の更に他の実施形態を示す。図４７（Ａ）に示すインクカートリッジ１８０Ｄは、インク容器１９４の側壁１９４ｂに複数のアクチュエータ１０６を装着する。図２０に示した、一体成形された複数のアクチュエータ１０６を、これら複数のアクチュエータ１０６として用いることが好ましい。複数のアクチュエータ１０６は、上下方向に間隔をおいて側壁１９４ｂに配置されている。複数のアクチュエータ１０６を上下方向に間隔をおいて側壁１９４ｂに配置することによって、インク残量を段階的に検出することができる。
【０２２４】
図４７（Ｂ）に示すインクカートリッジ１８０Ｅは、インク容器１９４の側壁１９４ｂに上下方向に長いアクチュエータ６０６を装着する。上下方向に長いアクチュエータ６０６によって、インク容器１９４内のインク残量の変化を連続的に検出することができる。アクチュエータ６０６の長さは、側壁１９４ｂに高さの半分以上の長さを有することが望ましく、図４７（Ｂ）においては、アクチュエータ６０６は側壁１９４ｂのほぼ上端からほぼ下端までの長さを有する。
【０２２５】
図４７（Ｃ）に示すインクカートリッジ１８０Ｆは、図４７（Ａ）に示したインクカートリッジ１８０Ｄと同様に、インク容器１９４の側壁１９４ｂに複数のアクチュエータ１０６を装着し、複数のアクチュエータ１０６の直面に所定の間隔をおいて上下方向に長い防波壁１９２を備える。図２０に示した、一体成形された複数のアクチュエータ１０６を、これら複数のアクチュエータ１０６として用いることが好ましい。アクチュエータ１０６と防波壁１９２との間には、インクで満たされた間隙が形成される。また、防波壁１９２とアクチュエータ１０６との間隔は、毛細管力によりインクが保持されない程度に空けられている。インク容器１９４が横揺れしたときに横揺れによってインク容器１９４内部にインクの波が発生し、その衝撃によって気体や気泡がアクチュエータ１０６によって検出されてしまい、アクチュエータ１０６が誤作動する可能性がある。本発明のように防波壁１９２を設けることによって、アクチュエータ１０６付近のインクの波立ちを防ぎ、アクチュエータ１０６の誤作動を防ぐことができる。また、防波壁１９２はインクが揺動することで発生した気泡がアクチュエータ１０６に侵入するのを防ぐ。
【０２２６】
さらに、図４７(Ａ)、図４７(Ｂ)および図４７(Ｃ)では、アクチュエータ１０６の付近に多孔質部材１０５０が配備される。それによって、インクの波打ちや泡立ちを抑制し、アクチュエータ１０６がインクの消費状態を誤って検知することを防止する。
【０２２７】
図４８は、インクカートリッジ１８０の更に他の実施形態を示す。図４８（Ａ）のインクカートリッジ１８０Ｉは、インク容器１９４の上面１９４ｃから下方に延びる一つの隔壁２１２を有する。隔壁２１２の下端とインク容器１９４の底面とは所定の間隔が空けられているので、インク容器１９４の底部は連通している。インクカートリッジ１８０Ｉは隔壁２１２によって区画された２室の収容室２１３ａ及び２１３ｂを有する。収容室２１３ａ及び２１３ｂの底部は互いに連通する。インク供給口１８７側の収容室２１３ａの容量はインク供給口１８７から見て奥の方の収容室２１３ｂの容量より大きい。収容室２１３ｂの容量は、収容室２１３ａの容量の半分より小さいことが好ましい。
【０２２８】
収容室２１３ｂの上面１９４ｃにアクチュエータ１０６が装着される。更に、収容室２１３ｂには、インクカートリッジ１８０Ｉの製造時に入る気泡を捕らえる溝であるバッファ２１４が形成される。図４８（Ａ）において、バッファ２１４は、インク容器１９４の側壁１９４ｂから上方に延びる溝として形成される。バッファ２１４はインク収容室２１３ｂ内に侵入した気泡を捕らえるので、気泡によってアクチュエータ１０６がインクエンドと検出する誤作動を防止することができる。また、アクチュエータ１０６を収容室２１３ｂの上面１９４ｃに設けることにより、インクニアエンドが検出されてから完全にインクエンド状態になるまでのインク量に対して、ドットカウンタによって把握した収容室２１３ａでのインクの消費状態に対応した補正をかけることで、最後までインクを消費することができる。更に、収容室２１３ｂの容量を隔壁２１２の長さや間隔を変えたりすることなどによって調節することにより、インクニアエンド検出後の消費可能インク量を変えることができる。
【０２２９】
さらに、図４８（Ａ）は、インクカートリッジ１８０Ｉの収容室２１３ｂに多孔質部材２１６が充填されている。多孔質部材２１６は、収容室２１３ｂ内の上面から下面までの全空間を埋めるように設置される。多孔質部材２１６は、アクチュエータ１０６と接触する。インク容器が倒れたときや、キャリッジ上での往復運動中に空気がインク収容室２１３ｂ内に侵入してしまい、これがアクチュエータ１０６の誤作動を引き起こす可能性がある。しかし、多孔質部材２１６が備えられていれば、空気を捕らえてアクチュエータ１０６に空気が入るのを防ぐことができる。また、多孔質部材２１６はインクを保持するのでインク容器が揺れることにより、インクがアクチュエータ１０６にかかってアクチュエータ１０６がインク無しをインク有りと誤検出するのを防ぐことができる。多孔質部材２１６は最も容量が小さい収容室２１３に設置することが好ましい。また、アクチュエータ１０６を収容質２１３ｂの上面１９４ｃに設けることにより、インクニアエンドが検出されてから完全にインクエンド状態になるまでのインク量に補正をかけ、最後までインクを消費することができる。更に、収容室２１３ｂの容量を隔壁２１２の長さや間隔を変えたりすることなどによって調節することにより、インクニアエンド検出後の消費可能インク量を変えることができる。
【０２３０】
図４８（Ｂ）は、図４８（Ａ）のインクカートリッジ１８０Ｉの多孔質部材２１６が孔径の異なる２種類の多孔質部材２１６Ａ及び２１６Ｂによって構成されているインクカートリッジ１８０Ｊを示す。多孔質部材２１６Ａは、多孔質部材２１６Ｂの上方に配置されている。上側の多孔質部材２１６Ａの孔径は、下側の多孔質部材２１６Ｂの孔径より大きい。もしくは、多孔質部材２１６Ａは、多孔質部材２１６Ｂよりも液体親和性が低い部材で形成される。孔径の小さい多孔質部材２１６Ｂの方が孔径の大きい多孔質部材２１６Ｂより毛細管力は大きいので、収容室２１３ｂ内のインクが下側の多孔室部材２１６Ｂに集まり、保持される。したがって、一旦多孔質部材２１６Ｂに集められたインクは多孔質部材２１６Ａには上らないので、インクが揺れることによってアクチュエータ１０６にインクがかかっていしまい、アクチュエータ１０６がインク無しをインク有りと誤検出することを防止することができる。また、アクチュエータ１０６を収容質２１３ｂの上面１９４ｃに設けることにより、インクニアエンドが検出されてから完全にインクエンド状態になるまでのインク量に補正をかけ、最後までインクを消費することができる。更に、収容室２１３ｂの容量を隔壁２１２の長さや間隔を変えたりすることなどによって調節することにより、インクニアエンド検出後の消費可能インク量を変えることができる。
【０２３１】
図４９は、図４８（Ａ）に示したインクカートリッジ１８０Ｉの他の実施形態であるインクカートリッジ１８０Ｋを示す断面図である。図４９に示すインクカートリッジ１８０の多孔質部材２１６は、多孔質部材２１６の下部の水平方向の断面積が、インク容器１９４の底面の方向にむけて徐々に小さくなるように圧縮され、孔径が小さくなるよう設計されている。図４９（Ａ）のインクカートリッジ１８０Ｋは、多孔質部材２１６の下の方の孔径が小さくなるように圧縮するために側壁にリブが設けられている。多孔質部材２１６下部の孔径は圧縮されることにより、小さくなっているので、インクは多孔質部材２１６下部へと集められ、保持される。アクチュエータ１０６から遠い側の多孔質部材２１６下部にインクが吸収されることで、アクチュエータ１０６近傍のインクの捌けが良くなり、インク有無を検出するときの音響インピーダンス変化の変化量が大きくなる。したがって、インクが揺れることによってインクカートリッジ１８０Ｋ上面に装着されたアクチュエータ１０６にインクがかかっていしまい、アクチュエータ１０６が、インク無しをインク有りと誤検出することを防止することができる。
【０２３２】
一方、図４９（Ｂ）及び図４９（Ｃ）のインクカートリッジ１８０Ｌは、多孔質部材２１６の下部の水平方向の断面積が、インク容器１９４の幅方向において、インク容器１９４の底面にむけて徐々に小さくなるよう圧縮するために、収容室の水平方向の断面積がインク容器１９４の底面の方向にむけて徐々に小さくなっている。多孔質部材２１６下部の孔径は圧縮されることにより、小さくなっているので、インクは多孔質部材２１６の下部へと集められ、保持される。アクチュエータ１０６から遠い側の多孔質部材２１６Ｂの下部にインクが吸収されることで、アクチュエータ１０６近傍のインクの捌けが良くなり、インク有無を検出するときの音響インピーダンス変化の変化量が大きくなる。したがって、インクが揺れることによって、インクカートリッジ１８０Ｌの上面に装着されたアクチュエータ１０６にインクがかかっていしまい、アクチュエータ１０６が、インク無しをインク有りと誤検出することを防止することができる。
【０２３３】
図５０は、アクチュエータ１０６を用いたインクカートリッジの更に他の実施形態を示す。図５０のインクカートリッジ２２０Ｂは、インクカートリッジ２２０Ｂの上面から下方へと延びるように設けられた第１の隔壁２２２を有する。第１の隔壁２２２の下端とインクカートリッジ２２０Ｂの底面との間には所定の間隔が空けられているので、インクは、インクカートリッジ２２０Ｂの底面を通じてインク供給口２３０へ流入できる。第１の隔壁２２２よりインク供給口２３０側には、インクカートリッジ２２０Ｂの底面より上方に延びるように第２の隔壁２２４が、形成されている。第２の隔壁２２４の上端とインクカートリッジ２２０Ｂの上面との間には所定の間隔が空けられているので、インクは、インクカートリッジ２２０Ｂの上面を通じてインク供給口２３０へ流入できる。インクカートリッジ２２０Ｂは、第１の収容室２２５ａに多孔質部材２４２を配置している。多孔質部材２４２は、インクカートリッジ２２０Ｂ内のインクを保持すると共に、インクカートリッジ２２０Ｂが横揺れしたときに、インクがインクカートリッジ２２０Ｂに設けられる通気孔から漏れるのを防ぐ。
【０２３４】
第１の隔壁２２２によって、インク供給口２３０から見て、第１の隔壁２２２の奥の方に第１の収容室２２５ａが形成される。一方、第２の隔壁２２４によって、インク供給口２３０から見て第２の隔壁２２４の手前側に第２の収容室２２５ｂが形成される。第１の収容室２２５ａの容量は、第２の収容室２２５ｂの容量より大きい。第１の隔壁２２２及び第２の隔壁２２４の間に、毛管現象を起こせるだけの間隔が空けられることにより、毛管路２２７が形成される。したがって、第１の収容室２２５ａのインクは、毛管路２２７の毛細管力により、毛管路２２７に集められる。そのため、気体や気泡が第２の収容室２２５ｂへ混入するのを防止することができる。また、第２の収容室２２５ｂ内のインクの水位は、安定的に徐々に下降できる。インク供給口２３０から見て、第１の収容室２２５ａは、第２の収容室２２５ｂより奥に形成されているので、第１の収容室２２５ａのインクが消費された後、第２の収容室２２５ｂのインクが消費される。
【０２３５】
インクカートリッジ２２０Ｂのインク供給口２３０側の側壁、すなわち第２の収容室２２５ｂのインク供給口２３０側の側壁には、アクチュエータ１０６が装着されている。アクチュエータ１０６は、第２の収容室２２５ｂ内のインクの消費状態を検知する。アクチュエータ１０６を、第２の収容室２２５ｂの側壁に装着することによって、インクエンドにより近い時点でのインク残量を安定的に検出することができる。更に、アクチュエータ１０６を第２の収容室２２５ｂの側壁に装着する高さを変えることにより、どの時点でのインク残量をインクエンドにするかを、自由に設定することができる。毛管路２２７によって第１の収容室２２５ａから第２の収容室２２５ｂへインクが供給されることにより、アクチュエータ１０６は、インクカートリッジ２２０Ｂの横揺れによるインクの横揺れの影響を受けないので、アクチュエータ１０６は、インク残量を確実に測定できる。更に、毛管路２２７が、インクを保持するので、インクが第２の収容室２２５ｂから第１の供給室２２５ａへ逆流するのを防ぐ。
【０２３６】
以上、キャリッジに装着される、キャリッジと別体のインクカートリッジにおいて、インクカートリッジ又はキャリッジにアクチュエータ１０６を装着する場合について述べたが、キャリッジと一体化され、キャリッジと共に、インクジェット記録装置に装着されるインクタンクにアクチュエータ１０６を装着してもよい。更に、キャリッジと別体の、チューブ等を介して、キャリッジにインクを供給するオフキャリッジ方式のインクタンクにアクチュエータ１０６を装着してもよい。またさらに、記録ヘッドとインク容器とが一体となって交換可能に構成されたインクカートリッジに、本発明のアクチュエータを装着してもよい。
【０２３７】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【０２３８】
【発明の効果】
本発明に従った液体容器は、液体残量を正確に検出でき、かつ複雑なシール構造を不要とできる。
【０２３９】
本発明に従った液体容器は、液体容器の製造工程が少なく、かつ製造コストが低廉であり、かつ液体の種類に依らず液体容器内の液体の消費量を正確に検出することができる。
【０２４０】
本発明に従った液体容器は、液体容器内の液体により気泡が生じることを防止するとともに、気泡が生じたとしても液体の消費量を直接に検出する装置に気泡が付着しない。
【０２４１】
本発明に従った液体容器は、液体容器内の液体が消費された後、キャビティ内に液体が残存しないようにすることによって、またはキャビティ内に液体が残存する量を減少させることによって、液体容器内の液体の量を誤って検出することを防止することができる。
【図面の簡単な説明】
【図１】単色、例えばブラックインク用のインクカートリッジの一実施例を示す図である。
【図２】複数種類のインクを収容するインクカートリッジの一実施例を示す図である。
【図３】図１及び２に示したインクカートリッジに適したインクジェット記録装置の一実施例を示す図である。
【図４】サブタンクユニット３３の詳細な断面を示す図である。
【図５】本発明のインクカートリッジの更に他の実施形態を示す図である。
【図６】弾性波発生手段３、１５、１６、及び１７の製造方法を示す図である。
【図７】図６に示した弾性波発生手段３の他の実施形態を示す図である。
【図８】本発明のインクカートリッジの他の実施例を示す図である。
【図９】本発明のインクカートリッジの更に他の実施例を示す図である。
【図１０】本発明のインクカートリッジの更に他の実施例を示す図である。
【図１１】本発明のインクカートリッジの更に他の実施例を示す図である。
【図１２】本発明のインクジェット記録装置の実施形態の断面を示す図である。
【図１３】図１２に示した記録装置に適したインクカートリッジの実施形態を示す図である。
【図１４】本発明のインクカートリッジ２７２の他の実施形態を示す図である。
【図１５】本発明のインクカートリッジ２７２及びインクジェット記録装置の更に他の実施形態を示す図である。
【図１６】アクチュエータ１０６の詳細を示す図である。
【図１７】アクチュエータ１０６の周辺およびその等価回路を示す図である。
【図１８】インクの密度とアクチュエータ１０６によって検出されるインクの共振周波数との関係を示す図である。
【図１９】アクチュエータ１０６の逆起電力波形を示す図である。
【図２０】アクチュエータ１０６の他の実施形態を示す図である。
【図２１】図２０に示したアクチュエータ１０６の一部分の断面を示す図である。
【図２２】図２０に示したアクチュエータ１０６の全体の断面を示す図である。
【図２３】図２０に示したアクチュエータ１０６の製造方法を示す図である。
【図２４】単色、例えばブラックインク用のインクカートリッジの一実施例を示す図である。
【図２５】本発明のインクカートリッジの更に他の実施形態を示す図である。
【図２６】複数種類のインクを収容するインクカートリッジの一実施例を示す図である。
【図２７】図２４及び図２６に示したインクカートリッジに適したインクジェット記録装置の一実施例を示す図である。
【図２８】サブタンクユニット３３の詳細な断面を示す図である。
【図２９】本発明のインクカートリッジの更に他の実施例を示す図である。
【図３０】本発明のインクカートリッジの更に他の実施例を示す図である。
【図３１】本発明のインクカートリッジの更に他の実施例を示す図である。
【図３２】本発明のインクカートリッジの更に他の実施形態を示す図である。
【図３３】貫通孔１ｃの他の実施形態を示す図である。
【図３４】アクチュエータ６６０の他の実施形態を示す図である。
【図３５】アクチュエータ６７０の更に他の実施形態を示す図である。
【図３６】モジュール体１００を示す斜視図である。
【図３７】図３６に示したモジュール体１００の構成を示す分解図である。
【図３８】モジュール体１００の他の実施形態を示す図である。
【図３９】図３８に示したモジュール体１００の構成を示す分解図である。
【図４０】モジュール体１００の更に他の実施形態を示す図である。
【図４１】図３６に示したモジュール体１００をインク容器２７４に装着した断面の例を示す図である。
【図４２】モジュール体１００の更に他の実施形態を示す図である。
【図４３】図１６に示したアクチュエータ１０６を用いたインクカートリッジ及びインクジェット記録装置の実施形態を示す図である。
【図４４】インクジェット記録装置の詳細を示す図である。
【図４５】図４４に示したインクカートリッジ１８０の他の実施形態を示す図である。
【図４６】インクカートリッジ１８０の更に他の実施形態を示す図である。
【図４７】インクカートリッジ１８０の更に他の実施形態を示す図である。
【図４８】インクカートリッジ１８０の更に他の実施形態を示す図である。
【図４９】図４８（Ｃ）に示したインクカートリッジ１８０の他の実施形態を示す図である。
【図５０】モジュール体１００を用いたインクカートリッジの更に他の実施形態を示す図である。
【符号の説明】
１・・・容器
１ｂ・・・側壁
１ｃ、４０ａ・・・貫通孔
１ｄ、・・・側面
１ｅ、１ｆ・・・段差部
１ｇ、１ｈ・・・溝
２・・・インク供給口
３、１５、１６、１７、４１、４２、４３、４４、６５、６６、７０・・・弾性波発生手段
４・・・パッキン
５・・・バネ
６・・・弁体
７・・・半導体記憶手段
８・・・容器
８ａ・・・底面
９、１０、１１・・・インク室
１２、１３、１４・・・インク供給口
２０・・・固定基板
２１、２３・・・導電材料層
２１ａ、２３ａ・・・接続端子
２２・・・グリーンシート
３０・・・キャリッジ
３１・・・記録ヘッド
３２・・・インク供給針
３３・・・サブタンクユニット
３４・・・インク室
３５・・・インク供給路
３６・・・膜弁
３７・・・フィルタ
３８・・・弁体
６７・・・板材
６８・・・フロート
７１・・・接着剤層
７２、８０、１７８・・・基板
７３、８２、圧電振動板
７４、７５・・・インク吸収体
７６・・・パッキン
７７・・・カシメ孔
８１・・・凹部
１００、４００、５００、７００・・・モジュール
１０２・・・基台部
１０４、３６２・・・リードワイヤ
１０６、６５０、６６０、６７０・・・アクチュエータ
１０８・・・フィルム
１１０・・・プレート
１１２・・・キャビティ
１１３・・・凹部
１１４・・・開口部
１１６・・・円柱部
１６０・・・圧電層
１６２、３７０・・・キャビティ
１６４・・・上部電極
１６６・・・下部電極
１６８・・・上部電極端子
１７０・・・下部電極端子
１７２・・・補助電極
１７４・・・圧電素子
１７６・・・振動板
１８０・・・インクカートリッジ
１８１・・・空気供給口
１８２・・・インク導入部
１８３・・・インク導入口
１８４・・・弁部
１８５・・・空気導入口
１８６・・・ヘッドプレート
１８７・・・インク供給口
１８８・・・ノズルプレート
１８９・・・切替弁
１９０・・・ノズル
１９２・・・防波壁
１９４・・・インク容器
１９４ａ・・・底面
１９４ｂ・・・側壁
１９４ｃ・・・上面
２１２・・・隔壁
２１３、２１３ａ、２１３ｂ・・・収容室
２１４・・・バッファ
２１６、２１６ａ、２１６ｂ・・・多孔質部材
２２０・・・インクカートリッジ
２２２・・・第１の隔壁
２２４・・・第２の隔壁
２２５ａ・・・第１の収容室
２２５ｂ・・・第２の収容室
２２７・・・毛管路
２２８・・・逆止弁
２３０・・・インク供給口
２３２・・・弁
２３２ａ・・・羽根
２３３・・・通気孔
２３５・・・バネ
２４２・・・多孔質部材
２５０・・・キャリッジ
２５２・・・記録ヘッド
２５４・・・インク供給針
２５６・・・サブタンクユニット
２５８、２５８’・・・凸部
２６０、２６０’・・・弾性波発生手段
２６２・・・インク室
２６４・・・インク供給路
２６６・・・膜弁
２６８・・・フィルタ
２７０・・・弁体
２７２・・・インクカートリッジ
２７４・・・容器
２７４ａ・・・底面
２７４ｂ・・・側面
２７６・・・インク供給口
２７８・・・凹部
２８０、２８０’・・・ゲル化材
２８２・・・パッキン
２８４・・・バネ
２８６・・・弁体
２８８・・・半導体記憶手段
２９０・・・容器
２９０ａ・・・底面
２９２、２９４、２９６・・・インク室
２９８、３００、３０２・・・インク供給口
３０４、３０６、３０８・・・ゲル化材
３１０、３１２、３１４・・・凹部
３１６・・・板材
３１８・・・フロート
３５０・・・取付プレート
３６０・・・基台部
３６４・・・モールド部
３７０・・・キャビティ
３７２・・・シーリング構造
４０２、５０２・・・基台
４０３・・・円柱状の台
４０４、５０４・・・リードワイヤ
４０８、５０８・・・フィルム
４１０、５１０・・・プレート
４１３、５１３・・・凹部
４１４、５１４・・・開口部
６００・・・取付構造体
６０６・・・アクチュエータ
６１０・・・基板
６１２・・・端子
９４０、９４１・・・グリーンシート
９４２、９４４・・・導電層
９４４’・・・接続部
９４７、９４８・・・補助導電層
Δｈ１、Δｈ２・・・液面の変化
Ｋ・・・インク
【図１】
0003818018.tif 000002
【図２】
0003818018.tif 000003
【図３】
0003818018.tif 000004
【図４】
0003818018.tif 000005
【図５】
0003818018.tif 000006
【図６】
0003818018.tif 000007
【図７】
0003818018.tif 000008
【図８】
0003818018.tif 000009
【図９】
0003818018.tif 000010
【図１０】
0003818018.tif 000011
【図１１】
0003818018.tif 000012
【図１２】
0003818018.tif 000013
【図１３】
0003818018.tif 000014
【図１４】
0003818018.tif 000015
【図１５】
0003818018.tif 000016
【図１６】
0003818018.tif 000017
【図１７】
0003818018.tif 000018
【図１８】
0003818018.tif 000019
【図１９】
0003818018.tif 000020
【図２０】
0003818018.tif 000021
【図２１】
0003818018.tif 000022
【図２２】
0003818018.tif 000023
【図２３】
0003818018.tif 000024
【図２４】
0003818018.tif 000025
【図２５】
0003818018.tif 000026
【図２６】
0003818018.tif 000027
【図２７】
0003818018.tif 000028
【図２８】
0003818018.tif 000029
【図２９】
0003818018.tif 000030
【図３０】
0003818018.tif 000031
【図３１】
0003818018.tif 000032
【図３２】
0003818018.tif 000033
【図３３】
0003818018.tif 000034
【図３４】
0003818018.tif 000035
【図３５】
0003818018.tif 000036
【図３６】
0003818018.tif 000037
【図３７】
0003818018.tif 000038
【図３８】
0003818018.tif 000039
【図３９】
0003818018.tif 000040
【図４０】
0003818018.tif 000041
【図４１】
0003818018.tif 000042
【図４２】
0003818018.tif 000043
【図４３】
0003818018.tif 000044
【図４４】
0003818018.tif 000045
【図４５】
0003818018.tif 000046
【図４６】
0003818018.tif 000047
【図４７】
0003818018.tif 000048
【図４８】
0003818018.tif 000049
【図４９】
0003818018.tif 000050
【図５０】
0003818018.tif 000051